(57)【要約】      （修正有）【課題】マイグレーションにおいて、適切な位置にコメントを配置して、目的ソースの出力ができる目的ソースの生産方法、およびプログラムを提供する。【解決手段】マイグレーション装置１は、原ソースが有する１以上の第一命令から第二言語のプログラムを構成する１以上の第二命令を取得する命令変換部と、原ソース内の２以上の各コメントを取得し、２以上のコメントと１以上の第二命令とを有する目的ソースを構成する目的ソース構成部と、目的ソースを出力する出力部とを具備する。目的ソース構成部は、コメントとコメントに対応する第一命令との配置関係に応じて、第一命令に対応する第二命令に対して、コメントを異なる位置に配置して、２以上のコメントと１以上の第二命令とを有する目的ソースを構成する。【選択図】図１
2017126176.tif 000002
【特許請求の範囲】
【請求項１】
プログラムを構成する命令である１以上の第一命令を有するマイグレーション対象のプログラムであり、第一のプログラム言語である第一言語で記述されたプログラムであり、２以上のコメントを含むプログラムである原ソースを格納し得る原ソース格納部と、
前記原ソースが有する１以上の第一命令から、第一のプログラム言語とは異なる言語である第二言語のプログラムを構成する１以上の第二命令を取得する命令変換部と、
前記原ソース内の２以上の各コメントを取得し、当該２以上のコメントと前記命令変換部が取得した１以上の第二命令とを有する目的ソースを構成する目的ソース構成部と、
前記目的ソースを出力する出力部とを具備し、
前記目的ソース構成部は、
コメントと当該コメントに対応する第一命令との配置関係に応じて、当該第一命令に対応する第二命令に対して、前記コメントを異なる位置に配置して、前記２以上のコメントと前記１以上の第二命令とを有する目的ソースを構成するマイグレーション装置。
【請求項２】
前記目的ソース構成部は、
前記原ソース内の２以上の各コメントに対して、コメントが当該コメントに対応する第一命令の横に配置されている横配置関係、およびコメントが当該コメントに対応する第一命令の上に配置されている上配置関係を含む２種類以上の配置関係のうち、いずれの配置関係かを決定し、当該決定した配置関係に応じて、前記第一命令に対応する第二命令に対して、前記各コメントを異なる位置に配置して、前記２以上のコメントと前記１以上の第二命令とを有する目的ソースを構成する請求項１記載のマイグレーション装置。
【請求項３】
前記目的ソース構成部は、
２以上の第一命令が一の第二命令に対応する場合、前記２以上の各第一命令に対して上配置関係の配置関係にあるすべてのコメントを、前記一の第二命令の上に配置して、前記２以上のコメントと前記１以上の第二命令とを有する目的ソースを構成する請求項２記載のマイグレーション装置。
【請求項４】
前記目的ソース構成部は、
２以上の第一命令が２以上の第二命令に対応する場合、前記２以上の各第一命令に対して上配置関係の配置関係にあるすべてのコメントを、前記２以上の第二命令のうち、最も上に配置される一の第二命令の上に配置して、前記２以上のコメントと前記２以上の第二命令とを有する目的ソースを構成する請求項２または請求項３記載のマイグレーション装置。
【請求項５】
前記目的ソース構成部は、
２以上の第一命令が２以上の第二命令に対応する場合、前記２以上の各第一命令に対して横配置関係の配置関係にあるコメントのうち、未配置のコメントのみを、前記２以上の第二命令のうち、最も上に配置される一の第二命令の横に配置して、前記２以上のコメントと前記２以上の第二命令とを有する目的ソースを構成する請求項２から請求項４いずれか一項に記載のマイグレーション装置。
【請求項６】
前記目的ソース構成部は、
前記２以上の各コメントに対して、コメントが当該コメントに対応する第一命令の横に配置されている横配置関係、コメントが当該コメントに対応する第一命令の上に配置されている上配置関係、およびコメントが当該コメントに対応する第一命令の下に配置されている下配置関係を含む３種類の配置関係のうち、いずれの配置関係かを決定し、当該決定した配置関係に応じて、前記第一命令に対応する第二命令に対して、前記各コメントを異なる位置に配置して、前記２以上のコメントと前記１以上の第二命令とを有する目的ソースを構成する請求項２から請求項５いずれか一項に記載のマイグレーション装置。
【請求項７】
前記目的ソース構成部は、
２以上の第一命令が一の第二命令に対応する場合、前記２以上の各第一命令に対して下配置関係の配置関係にあるすべてのコメントを、前記一の第二命令の下に配置して、前記２以上のコメントと前記１以上の第二命令とを有する目的ソースを構成する請求項６記載のマイグレーション装置。
【請求項８】
前記目的ソース構成部は、
２以上の第一命令が２以上の第二命令に対応する場合、前記２以上の各第一命令に対して下配置関係の配置関係にあるすべてのコメントを、前記２以上の第二命令のうち、最も下に配置される一の第二命令の下に配置して、前記２以上のコメントと前記１以上の第二命令とを有する目的ソースを構成する請求項７記載のマイグレーション装置。
【請求項９】
前記原ソースはアセンブラプログラムであり、前記目的ソースはＣ言語のプログラムである請求項１から請求項８いずれか一項に記載のマイグレーション装置。
【請求項１０】
記録媒体は、
プログラムを構成する命令である１以上の第一命令を有するマイグレーション対象のプログラムであり、第一のプログラム言語である第一言語で記述されたプログラムであり、２以上のコメントを含むプログラムである原ソースを格納し得る原ソース格納部を具備し、
命令変換部、目的ソース構成部、および出力部を用いて実現される目的ソースの生産方法であって、
前記命令変換部が、前記原ソースが有する１以上の第一命令から、第一のプログラム言語とは異なる言語である第二言語のプログラムを構成する１以上の第二命令を取得する命令変換ステップと、
前記目的ソース構成部が、前記原ソース内の２以上の各コメントを取得し、当該２以上のコメントと前記命令変換部が取得した１以上の第二命令とを有する目的ソースを構成する目的ソース構成ステップと、
前記出力部が、前記目的ソースを出力する出力ステップとを具備し、
前記目的ソース構成ステップにおいて、
コメントと当該コメントに対応する第一命令との配置関係に応じて、当該第一命令に対応する第二命令に対して、前記コメントを異なる位置に配置して、前記２以上のコメントと前記１以上の第二命令とを有する目的ソースを構成する目的ソースの生産方法。
【請求項１１】
コンピュータがアクセス可能な記録媒体は、
プログラムを構成する命令である１以上の第一命令を有するマイグレーション対象のプログラムであり、第一のプログラム言語である第一言語で記述されたプログラムであり、２以上のコメントを含むプログラムである原ソースを格納し得る原ソース格納部を具備し、
コンピュータを、
前記原ソースが有する１以上の第一命令から、第一のプログラム言語とは異なる言語である第二言語のプログラムを構成する１以上の第二命令を取得する命令変換部と、
前記原ソース内の２以上の各コメントを取得し、当該２以上のコメントと前記命令変換部が取得した１以上の第二命令とを有する目的ソースを構成する目的ソース構成部と、
前記目的ソースを出力する出力部として機能させ、
前記目的ソース構成部は、
コメントと当該コメントに対応する第一命令との配置関係に応じて、当該第一命令に対応する第二命令に対して、前記コメントを異なる位置に配置して、前記２以上のコメントと前記１以上の第二命令とを有する目的ソースを構成するものとして、コンピュータを機能させるためのプログラム。
【発明の詳細な説明】
【技術分野】
【０００１】
本発明は、原ソースから目的ソースを取得するマイグレーション装置等に関するものである。
【背景技術】
【０００２】
従来技術において、レガシーシステムのログを元に稼動ＪＣＬおよびファイルを抽出して、その抽出された稼動ＪＣＬおよびファイルを使用しているＣＯＢＯＬファイル定義から整理されたデータモデルを作成し、その作成されたデータモデルとＭＤＡツールを繋いだので、新しいオープン系システムを再構築することが可能であるレガシーシステム再構築システムがあった（例えば、特許文献１参照）。
【先行技術文献】
【特許文献】
【０００３】
【特許文献１】特開２００７−３３４号公報（第１頁、第１図等）
【発明の概要】
【発明が解決しようとする課題】
【０００４】
しかしながら、従来技術においては、マイグレーションにおいて、原ソースに存在するコメントを、目的ソースの適切な位置に配置して出力することができなかった。
【課題を解決するための手段】
【０００５】
本第一の発明のマイグレーション装置は、プログラムを構成する命令である１以上の第一命令を有するマイグレーション対象のプログラムであり、第一のプログラム言語である第一言語で記述されたプログラムであり、２以上のコメントを含むプログラムである原ソースを格納し得る原ソース格納部と、原ソースが有する１以上の第一命令から、第一のプログラム言語とは異なる言語である第二言語のプログラムを構成する１以上の第二命令を取得する命令変換部と、原ソース内の２以上の各コメントを取得し、２以上のコメントと命令変換部が取得した１以上の第二命令とを有する目的ソースを構成する目的ソース構成部と、目的ソースを出力する出力部とを具備し、目的ソース構成部は、コメントとコメントに対応する第一命令との配置関係に応じて、第一命令に対応する第二命令に対して、コメントを異なる位置に配置して、２以上のコメントと１以上の第二命令とを有する目的ソースを構成するマイグレーション装置である。
【０００６】
かかる構成により、コメントの配置位置を考慮した目的ソースの出力が可能となる。
【０００７】
また、本第二の発明のマイグレーション装置は、第一の発明に対して、目的ソース構成部は、原ソース内の２以上の各コメントに対して、コメントがコメントに対応する第一命令の横に配置されている横配置関係、およびコメントがコメントに対応する第一命令の上に配置されている上配置関係を含む２種類以上の配置関係のうち、いずれの配置関係かを決定し、決定した配置関係に応じて、第一命令に対応する第二命令に対して、各コメントを異なる位置に配置して、２以上のコメントと１以上の第二命令とを有する目的ソースを構成するマイグレーション装置である。
【０００８】
かかる構成により、コメントの配置位置が、命令に対して横または上の位置である場合、配置位置を考慮した目的ソースの出力が可能となる。
【０００９】
また、本第三の発明のマイグレーション装置は、第二の発明に対して、目的ソース構成部は、２以上の第一命令が一の第二命令に対応する場合、２以上の各第一命令に対して上配置関係の配置関係にあるすべてのコメントを、一の第二命令の上に配置して、２以上のコメントと１以上の第二命令とを有する目的ソースを構成するマイグレーション装置である。
【００１０】
かかる構成により、２以上の第一命令が一の第二命令に対応する場合であり、コメントの配置位置が、命令に対して上の位置である場合、配置位置を考慮した目的ソースの出力が可能となる。
【００１１】
また、本第四の発明のマイグレーション装置は、第二または第三の発明に対して、目的ソース構成部は、２以上の第一命令が２以上の第二命令に対応する場合、２以上の各第一命令に対して上配置関係の配置関係にあるすべてのコメントを、２以上の第二命令のうち、最も上に配置される一の第二命令の上に配置して、２以上のコメントと２以上の第二命令とを有する目的ソースを構成するマイグレーション装置である。
【００１２】
かかる構成により、２以上の第一命令が２以上の第二命令に対応する場合であり、コメントの配置位置が、命令に対して上の位置である場合、配置位置を考慮した目的ソースの出力が可能となる。
【００１３】
また、本第五の発明のマイグレーション装置は、第二から第四いずれか１つの発明に対して、目的ソース構成部は、２以上の第一命令が２以上の第二命令に対応する場合、２以上の各第一命令に対して横配置関係の配置関係にあるコメントのうち、未配置のコメントのみを、２以上の第二命令のうち、最も上に配置される一の第二命令の横に配置して、２以上のコメントと２以上の第二命令とを有する目的ソースを構成するマイグレーション装置である。
【００１４】
かかる構成により、２以上の第一命令が２以上の第二命令に対応する場合であり、コメントの配置位置が、命令に対して横の位置である場合、配置位置を考慮した目的ソースの出力が可能となる。
【００１５】
また、本第六の発明のマイグレーション装置は、第二から第五いずれか１つの発明に対して、目的ソース構成部は、２以上の各コメントに対して、コメントがコメントに対応する第一命令の横に配置されている横配置関係、コメントがコメントに対応する第一命令の上に配置されている上配置関係、およびコメントがコメントに対応する第一命令の下に配置されている下配置関係を含む３種類の配置関係のうち、いずれの配置関係かを決定し、決定した配置関係に応じて、第一命令に対応する第二命令に対して、各コメントを異なる位置に配置して、２以上のコメントと１以上の第二命令とを有する目的ソースを構成するマイグレーション装置である。
【００１６】
かかる構成により、コメントの配置位置が、命令に対して横または上または下の位置である場合、配置位置を考慮した目的ソースの出力が可能となる。
【００１７】
また、本第七の発明のマイグレーション装置は、第六の発明に対して、目的ソース構成部は、２以上の第一命令が一の第二命令に対応する場合、２以上の各第一命令に対して下配置関係の配置関係にあるすべてのコメントを、一の第二命令の下に配置して、２以上のコメントと１以上の第二命令とを有する目的ソースを構成するマイグレーション装置である。
【００１８】
かかる構成により、２以上の第一命令が一の第二命令に対応する場合であり、コメントの配置位置が、命令に対して下の位置である場合、配置位置を考慮した目的ソースの出力が可能となる。
【００１９】
また、本第八の発明のマイグレーション装置は、第七の発明に対して、目的ソース構成部は、２以上の第一命令が２以上の第二命令に対応する場合、２以上の各第一命令に対して下配置関係の配置関係にあるすべてのコメントを、２以上の第二命令のうち、最も下に配置される一の第二命令の下に配置して、２以上のコメントと１以上の第二命令とを有する目的ソースを構成するマイグレーション装置である。
【００２０】
かかる構成により、２以上の第一命令が２以上の第二命令に対応する場合であり、コメントの配置位置が、命令に対して下の位置である場合、配置位置を考慮した目的ソースの出力が可能となる。
【００２１】
また、本第九の発明のマイグレーション装置は、第一から第八いずれか１つの発明に対して、原ソースはアセンブラプログラムであり、目的ソースはＣ言語のプログラムであるマイグレーション装置である。
【００２２】
かかる構成により、アセンブラプログラムからＣ言語のプログラムをマイグレーションする際に、コメントの配置位置を考慮したＣ言語のプログラムの出力が可能となる。
【００２３】
本第十の発明のマイグレーション装置は、アセンブラ言語で記述されたアセンブラプログラムであり、マイグレーション対象のプログラムである原ソースを格納し得る原ソース格納部と、原ソースに対して、プログラムの可読性を向上させるための処理を行う箇所を特定するための条件である１以上の箇所特定条件を格納し得る箇所特定条件格納部と、原ソース格納部に格納されている原ソースを、他言語のプログラムであり、目的言語のプログラムである目的ソースに変換する変換部と、変換部が変換して、取得した目的ソースを出力する出力部とを具備するマイグレーション装置であって、変換部は、原ソース格納部に格納されている原ソースに対して、１以上の各箇所特定条件を適用し、合致する箇所特定条件に対応する箇所に対して、合致する箇所特定条件に対応する処理であり、プログラムの可読性を向上させる処理である可読性向上処理を行う可読性向上処理手段を具備するマイグレーション装置である。
【００２４】
かかる構成により、アセンブラのプログラムをマイグレーションする場合に、保守性を考慮した、可読性の高い他言語のプログラムを生成できる。
【００２５】
また、本第十一の発明のマイグレーション装置は、第十の発明に対して、箇所特定条件は、プログラムのパターンに関する情報であるソースパターン情報であり、可読性向上処理手段は、原ソース格納部に格納されている原ソースに対して、１以上の各ソースパターン情報を適用し、合致するソースパターン情報に対応する箇所に対して、合致するソースパターン情報に対応する処理であり、プログラムの可読性を向上させる処理である可読性向上処理を行うマイグレーション装置である。
【００２６】
かかる構成により、予め決められたパターンに合致するアセンブラのプログラムを、保守性を考慮した、可読性の高い他言語のプログラムに変換できる。
【００２７】
また、本第十二の発明のマイグレーション装置は、第十一の発明に対して、ソースパターン情報は、ダミーセクションを示す情報を含み、可読性向上処理手段は、原ソース格納部に格納されている原ソースに対して、１以上の各ソースパターン情報を適用し、ダミーセクションを含む箇所を決定し、箇所に対応するプログラムを、構造体を定義するプログラムに変更するマイグレーション装置である。
【００２８】
かかる構成により、アセンブラのプログラムの中のダミーセクションのプログラムを、保守性を考慮した、可読性の高い他言語のプログラムに変換できる。
【００２９】
また、本第十三の発明のマイグレーション装置は、第十一の発明に対して、ソースパターン情報は、オフセットを持つ戻りであることを示す情報を含み、可読性向上処理手段は、原ソース格納部に格納されている原ソースに対して、１以上の各ソースパターン情報を適用し、オフセットを持つ戻りを含む箇所を決定し、箇所に対応するプログラムを、プログラムに含まれるオフセットを条件に用いた分岐を示すプログラムに変更するマイグレーション装置である。
【００３０】
かかる構成により、アセンブラのプログラムの中のオフセットを持つ戻り処理のプログラムを、保守性を考慮した、可読性の高い他言語のプログラムに変換できる。
【００３１】
また、本第十四の発明のマイグレーション装置は、第十一の発明に対して、ソースパターン情報は、一命令の他言語のプログラムに変換可能なアセンブラの２以上の命令の箇所を特定するためのパターンの情報であり、可読性向上処理手段は、原ソース格納部に格納されている原ソースに対して、１以上の各ソースパターン情報を適用し、２以上の命令の箇所を決定し、箇所に対応するプログラムを、一命令の他言語のプログラムに変換するマイグレーション装置である。
【００３２】
かかる構成により、予め決められたパターンに合致する、アセンブラのプログラムの中の２以上の命令からなるプログラムを、保守性を考慮した、可読性の高い他言語の一命令のプログラムに変換できる。
【００３３】
また、本第十五の発明のマイグレーション装置は、第十一の発明に対して、ソースパターン情報は、退避コードまたは復帰コードを示す情報を含み、可読性向上処理手段は、原ソース格納部に格納されている原ソースに対して、１以上の各ソースパターン情報を適用し、退避コードまたは復帰コードの箇所を決定し、箇所に対応するプログラムを、原ソースまたは目的ソースから削除するマイグレーション装置である。
【００３４】
かかる構成により、アセンブラのプログラムの中の退避コードまたは復帰コードを、保守性を考慮した、可読性の高い他言語のプログラムに変換できる。
【００３５】
また、本第十六の発明のマイグレーション装置は、第十一の発明に対して、ソースパターン情報は、２以上のジャンプ命令が構成する２以上のループの一部が重なっていることを示す情報を含み、可読性向上処理手段は、原ソース格納部に格納されている原ソースに対して、１以上の各ソースパターン情報を適用し、２以上のループの一部が重なっている箇所を決定し、箇所に対応するプログラムを、予め決められた条件を満たす一のループを優先し、ジャンプ命令を有さないループを示すプログラムに変更するマイグレーション装置である。
【００３６】
かかる構成により、アセンブラのプログラムの中の２以上のループの一部が重なっている箇所を、保守性を考慮した、可読性の高い他言語のプログラムに変換できる。
【００３７】
また、本第十七の発明のマイグレーション装置は、第十の発明に対して、箇所特定条件は、原ソース内において予め決められた条件を満たす箇所の範囲を特定するための条件である範囲条件であり、可読性向上処理手段は、原ソース格納部に格納されている原ソースに対して、１以上の各範囲条件を適用し、合致する範囲条件に対応する箇所に対して、合致する範囲条件に対応する処理であり、プログラムの可読性を向上させる処理である可読性向上処理を行うマイグレーション装置である。
【００３８】
かかる構成により、アセンブラのプログラムの中の予め決められた条件を満たす箇所の範囲を特定し、保守性を考慮して、当該範囲に対応する可読性の高い他言語のプログラムに変換できる。
【００３９】
また、本第十八の発明のマイグレーション装置は、第十七の発明に対して、範囲条件は、実行され得ないプログラムの範囲を判定するための条件であり、可読性向上処理手段は、原ソースを静的解析し、合致する範囲条件に対応する箇所のプログラムを特定し、プログラムを削除するマイグレーション装置である。
【００４０】
かかる構成により、静的解析し、到達できない箇所のアセンブラプログラムを削除することにより、可読性の高い他言語のプログラムを得ることができる。
【００４１】
また、本第十九の発明のマイグレーション装置は、第十七の発明に対して、範囲条件は、変数を特定するための条件であり、可読性向上処理手段は、原ソースまたは目的ソースから変数を取得し、変数の生存区間を取得し、変数を、生存区間におけるローカル変数として定義する可読性向上処理を行うマイグレーション装置である。
【００４２】
かかる構成により、アセンブラプログラム内の変数の生存区間を特定し、当該変数を当該生存区間におけるローカル変数とすることにより、可読性の高い他言語のプログラムを得ることができる。
【００４３】
また、本第二十の発明のマイグレーション装置は、第十から第十九いずれか１つの発明に対して、原ソースは、アセンブラプログラムとアセンブラ以外の言語のプログラムである他言語プログラムとを有するプログラムであり、原ソースから、アセンブラプログラムを取得するプログラム取得部をさらに具備し、変換部は、プログラム取得部が取得したアセンブラプログラムを目的ソースに変換するマイグレーション装置である。
【００４４】
かかる構成により、アセンブラ以外の言語のプログラムである他言語プログラムと連結して動作するアセンブラのプログラムをマイグレーションする場合に、保守性を考慮した、可読性の高い他言語のプログラムを生成できる。
【発明の効果】
【００４５】
本発明によるマイグレーション装置によれば、適切な位置に配置されたコメントを有する目的ソースを取得できる。
【図面の簡単な説明】
【００４６】
【図１】実施の形態１におけるマイグレーション装置１のブロック図
【図２】同マイグレーション装置１の動作例について説明するフローチャート
【図３】同静的解析処理について説明するフローチャート
【図４】同コメント配置処理の詳細について説明するフローチャート
【図５】同コメントの配置方法を説明する図
【図６】同第一命令と第二命令との対応表を示す図
【図７】同コメントの配置方法を説明する図
【図８】同変換前のアセンブラプログラムの例を示す図
【図９】同箇所特定条件管理表を示す図
【図１０】同変換後のＣ言語のプログラムの例を示す図
【図１１】同変換前のアセンブラプログラムの例を示す図
【図１２】同変換情報管理表を示す図
【図１３】同変換後のＣ言語のプログラムの例を示す図
【図１４】同箇所特定条件管理表を示す図
【図１５】同変換前のアセンブラプログラムの例を示す図
【図１６】同変換後のＣ言語のプログラムの例を示す図
【図１７】同中間表現を含む変換例を示す図
【図１８】同中間表現を含む変換例を示す図
【図１９】同ループの処理を示す図
【図２０】同変換前のアセンブラプログラムの例を示す図
【図２１】同変換後のＣ言語のプログラムの例を示す図
【図２２】同ループの処理を示す図
【図２３】同変換対象のアセンブラプログラムの例を示す図
【図２４】同変換後のＣ言語のプログラムの例を示す図
【図２５】同変換後のＣ言語のプログラムの例を示す図
【図２６】同変換前のアセンブラプログラムの例を示す図
【図２７】同変換後のＣ言語のプログラムの例を示す図
【図２８】同コンピュータシステムの概観図
【図２９】同コンピュータシステムのブロック図
【発明を実施するための形態】
【００４７】
以下、マイグレーション装置等の実施形態について図面を参照して説明する。なお、実施の形態において同じ符号を付した構成要素は同様の動作を行うので、再度の説明を省略する場合がある。
【００４８】
（実施の形態１）
本実施の形態において、原ソースから目的ソースを取得するマイグレーション装置であって、原ソース内のコメントと命令との配置関係に応じて、目的ソース内のコメントの配置位置が異なるようにコメントを配置するマイグレーション装置について説明する。なお、命令とは、プログラム内の命令である。また、命令は、通常、区切り文字（例えば、Ｃ言語の場合は「;」等）により区切られている単位であるが、一命令の単位は問わない。なお、原ソース内のコメントと当該コメントに対応する命令との配置関係は、例えば、横配置関係、上配置関係、下配置関係の３種類のうちのいずれかである。
【００４９】
また、本実施の形態において、原ソースの第一命令と目的ソースの第二命令との対応が、１対１の場合、１対多の場合、多対１の場合、他対多の場合について説明する。
【００５０】
また、本実施の形態において、例えば、アセンブラのプログラム集合の中から、予め決められたソースパターンに合致するソース列に対して、可読性向上のための処理を施し、蓄積するマイグレーション装置について説明する。予め決められたソースパターンとは、例えば、ダミーセクションの箇所を特定するパターン、オフセットを持つ戻りの箇所を特定するパターン、一命令の他言語のプログラムに変換可能なアセンブラの２以上の命令の箇所を特定するためのパターン、退避コードまたは復帰コードの箇所を特定するためのパターン、２以上のループの一部が重なっている箇所を特定するためのパターン等である。なお、他言語のプログラムとは、Ｃ言語のプログラム等、アセンブラ以外の言語のプログラムのことである。
【００５１】
また、本実施の形態において、例えば、アセンブラのプログラム集合の中の、予め決められた条件を満たす箇所の範囲を特定し、当該箇所に対応する処理を行うマイグレーション装置について説明する。なお、当該箇所に対応する処理とは、例えば、削除処理、ローカル変数の定義を生成する処理等である。
【００５２】
さらに、本実施の形態において、例えば、原ソースはアセンブラプログラムであり、目的ソースはＣ言語のプログラムであるマイグレーション装置について説明する。
【００５３】
図１は、本実施の形態におけるマイグレーション装置１のブロック図である。マイグレーション装置１は、格納部１１、処理部１２、および出力部１３を備える。
【００５４】
格納部１１は、原ソース格納部１１１、箇所特定条件格納部１１２、および変換情報格納部１１３を備える。
【００５５】
処理部１２は、プログラム取得部１２１、命令変換部１２２、および目的ソース構成部１２３を備える。また、命令変換部１２２は、可読性向上処理手段１２２１を備える。
【００５６】
格納部１１は、各種の情報を格納し得る。各種の情報とは、後述する原ソース、箇所特定条件、変換情報などである。
【００５７】
原ソース格納部１１１は、原ソースを格納し得る。原ソースは、１以上の第一命令を有するマイグレーション対象のプログラムである。第一命令は、命令である。原ソースは、第一のプログラム言語である第一言語で記述されたプログラムである。原ソースは、１または２以上のコメントを含む。第一命令は、第一言語で記述されたプログラムを構成する命令である。原ソースは、例えば、アセンブラ言語で記述されたアセンブラプログラムである。また、原ソースとは、アセンブラプログラムとアセンブラ以外の言語のプログラムである他言語プログラムとを有するプログラムであっても良い。なお、他言語プログラムは、ここでは、例えば、高級言語のプログラムである。高級言語は、ＣＯＢＯＬ、Ｃ言語、Ｃ＋＋、ＪＡＶＡ（登録商標）等、問わない。また、他言語プログラムは、例えば、アセンブラプログラムを呼び出して利用しているプログラムである。また、アセンブラプログラムにおけるアセンブラの種類は問わない。アセンブラは、ここでは、アセンブリ言語と言っても良い。アセンブラは、例えば、ＩＢＭ  Ｓｙｓｔｅｍ／３７０で使用されているアセンブラである。また、第一言語は、アセンブラ言語でも、アセンブラ言語以外のプログラム言語でも良い。アセンブラ言語以外のプログラム言語は、ＣＯＢＯＬ、Ｃ言語、Ｃ＋＋、ＪＡＶＡ（登録商標）等、問わない。
【００５８】
また、原ソース格納部１１１が格納している原ソースは、アセンブラ言語で記述されたアセンブラプログラムを変換した中間言語のプログラム（中間表現と言っても良い）でも良い。中間言語のプログラムは、例えば、アセンブラプログラムの一の命令が行う複数の処理を２以上の処理に分解し、得られた２以上の命令群である。なお、中間言語のプログラムの一の命令は、アセンブラプログラムの一の命令に対応づいているものがあっても良い。また、アセンブラプログラムを中間言語のプログラムに変換する処理は、後述する命令変換部１２２が行っても良いし、他の装置で行われても良い。
【００５９】
箇所特定条件格納部１１２は、１以上の箇所特定条件を格納し得る。箇所特定条件とは、原ソースに対して、プログラムの可読性を向上させるための処理を行う箇所を特定するための条件である。箇所特定条件は、例えば、アセンブラプログラムのパターンに関する情報であるソースパターン情報である。箇所特定条件は、例えば、原ソース内において、予め決められた条件を満たす箇所の範囲を特定するための条件である範囲条件である。箇所特定条件格納部１１２は、箇所特定条件に対応付けて、アセンブラプログラムを他言語に変換する情報を保持していても良い。アセンブラプログラムを他言語に変換する情報は、例えば、高級言語のプログラムのパターンに関する高級言語パターン情報である。また、アセンブラプログラムを他言語に変換する情報は、例えば、アセンブラプログラムを他言語に変換するプログラムにより構成されている。なお、ソースパターン情報とは、例えば、ダミーセクションを示す情報、オフセットを持つ戻りであることを示す情報、一命令の他言語のプログラムに変換可能なアセンブラの２以上の命令を有する原ソース部品を特定するためのパターンの情報、退避コードまたは復帰コードを示す情報、２以上のジャンプ命令が構成する２以上のループの一部が重なっていることを示す情報等であっても良い。
【００６０】
変換情報格納部１１３は、１以上の変換情報を格納し得る。変換情報とは、アセンブラのプログラムを高級言語等の他言語のプログラムに変換するための情報である。変換情報は、通常、可読性を向上するとは限らないプログラム変換のための情報である。変換情報は、例えば、アセンブラプログラムのパターンを示すアセンブラパターン情報と、他言語プログラムのパターンを示す他言語パターン情報とを有する。変換情報は、例えば、アセンブラプログラムのパターンを示すアセンブラパターン情報と、アセンブラプログラムを他言語に変換するプログラムである。
【００６１】
変換情報格納部１１３は、１以上の変換情報を格納し得る。変換情報とは、第一言語のプログラムを、第二言語のプログラムに変換するための情報である。変換情報は、例えば、第一言語のプログラムのパターンを示す第一言語パターン情報と、第二言語のプログラムのパターンを示す第二言語パターン情報とを有する。
【００６２】
変換情報は、例えば、アセンブラのプログラムを高級言語等の他言語のプログラムに変換するための情報である。変換情報は、通常、可読性を向上するとは限らないプログラム変換のための情報である。変換情報は、例えば、アセンブラプログラムのパターンを示すアセンブラパターン情報と、他言語プログラムのパターンを示す他言語パターン情報とを有する。変換情報は、例えば、アセンブラプログラムのパターンを示すアセンブラパターン情報と、アセンブラプログラムを他言語に変換するプログラムである。
【００６３】
変換情報は、アセンブラのプログラムを他のアセンブラのプログラムに変換するための情報でも良い。かかる場合、他のアセンブラのプログラムは、通常、他言語のプログラムへの変換を容易にするプログラムである。
【００６４】
また、変換情報は、他言語のプログラムを他の他言語のプログラムに変換するための情報でも良い。かかる場合、他の他言語のプログラムは、通常、元の他言語のプログラムより可読性が向上したプログラムである。
【００６５】
また、変換情報は、中間言語のプログラムをアセンブラのプログラムに変換するための情報でも良い。
【００６６】
また、変換情報は、中間言語のプログラムを他の中間言語のプログラムに変換するための情報でも良い。かかる場合、他の中間言語のプログラムは、通常、他言語のプログラムへの変換を容易にするプログラムである。
【００６７】
変換情報は、例えば、「ＤＳＥＣＴ以外のＵＳＩＮＧ命令は削除することを示す情報」「ＤＳＥＣＴ以外のＤＲＯＰ命令は削除することを示す情報」「アセンブラ"Ｍ  ＄変数１，＄変数２"はＣ言語"＄変数１＝＄変数１＊＄変数２"に変換することを示す情報」「アセンブラ"Ａ  ＄変数１，＄変数２"はＣ言語"＄変数１＝＄変数１＋＄変数２"に変換することを示す情報」などである。なお、「＄変数１」等は、任意の変数を示す文字列である。
【００６８】
処理部１２は、各種の処理を行う。各種の処理とは、例えば、プログラム取得部１２１、命令変換部１２２、可読性向上処理手段１２２１、目的ソース構成部１２３が行う処理である。
【００６９】
プログラム取得部１２１は、原ソースから、第一言語のプログラムを取得する。例えば、第一言語がアセンブラであり、原ソースがアセンブラプログラムと他言語プログラムとを有するプログラムである場合、プログラム取得部１２１は、原ソースからアセンブラプログラムを抽出する。なお、例えば、プログラム取得部１２１は、例えば、アセンブラ等の第一言語のプログラムの開始を示す文字列と終了を示す文字列とを用いて、開始を示す文字列と終了を示す文字列との間のプログラム（文字列）を、原ソースから取得する。また、例えば、プログラム取得部１２１は、アセンブラ等の第一言語のプログラムであることを示す拡張子（例えば、「asm」）を有するファイルを原ソース格納部１１１から取得する。また、例えば、プログラム取得部１２１は、アセンブラ等の第一言語のプログラムの命令または命令パターンに合致するプログラム（文字列）を、原ソースから取得する。なお、かかる場合、アセンブラ等の第一言語のプログラムのすべての命令または命令パターンは、格納部１１に格納されている、とする。
【００７０】
プログラム取得部１２１は、原ソースから１または２以上の第一命令、および１または２以上のコメントを取得しても良い。
【００７１】
命令変換部１２２は、原ソースが有する１以上の第一命令から、第一のプログラム言語とは異なる言語である第二言語のプログラムを構成する１以上の第二命令を取得する。命令変換部１２２は、例えば、プログラム取得部１２１が取得した１以上の第一命令から、当該１以上の第一命令を変換し、１以上の第二命令を取得する。なお、命令変換部１２２は、後述する可読性向上の処理を行わなくても良い。
【００７２】
命令変換部１２２は、原ソース格納部１１１に格納されている原ソース（ここでは、例えば、アセンブラプログラム）を、他言語のプログラムであり、目的言語のプログラムである目的ソースに変換する。なお、目的言語のプログラムは、例えば、Ｃ言語などの第二言語のプログラムである。
【００７３】
命令変換部１２２は、アセンブラプログラム以外のプログラム（例えば、Ｊａｖａ、ＣＯＢＯＬ等のプログラム）を、目的ソースに変換しても良い。なお、アセンブラプログラム以外のプログラムを、目的ソースに変換するプログラムは公知技術であるので、詳細な説明は省略する。
【００７４】
命令変換部１２２は、１以上の変換情報を用いて、第一言語のプログラムを目的ソースに変換しても良い。また、命令変換部１２２は、例えば、１以上の箇所特定条件を用いて、アセンブラプログラムを目的ソースに変換する。つまり、命令変換部１２２は、例えば、箇所特定条件に合致する変換対象のプログラムの箇所に対して、当該箇所特定条件に対応する変換情報を用いて、当該変換対象のプログラムの箇所を変換して、変換後のプログラムを取得する。
【００７５】
変換対象のプログラムは、例えば、アセンブラプログラムであるが、中間言語のプログラム、目的ソースのプログラムでも良い。また、変換後のプログラムは、通常、目的ソースのプログラムであるが、アセンブラプログラム、中間言語のプログラム等でも良い。
【００７６】
可読性向上処理手段１２２１は、プログラムの可読性を向上させる処理である可読性向上処理を行う。可読性向上処理は、例えば、アセンブラのダミーセクションの定義をＣ言語等の他言語の構造体の定義に書き換える処理である。また、可読性向上処理は、例えば、アセンブラのオフセットを持つ戻り処理を、適切な他言語のプログラムに書き換える処理である。また、可読性向上処理は、例えば、２以上の命令群のアセンブラプログラムを、１命令の他言語のプログラムに書き換える処理である。なお、１命令の他言語のプログラムとは、例えば、Ｃ言語において、「；」が一つで足りる命令である。また、可読性向上処理は、例えば、アセンブラプログラム中の退避コードまたは復帰コードを削除する処理である。また、可読性向上処理は、例えば、アセンブラプログラム中の複数のループ処理を、適切な他言語のプログラムに書き換える処理である。また、可読性向上処理は、例えば、到達できないアセンブラプログラムの箇所を削除する処理である。また、可読性向上処理は、例えば、アセンブラプログラムの変数の生存区間を検査し、他言語のローカル変数とする処理である。
【００７７】
また、可読性向上処理は、例えば、２以上の命令群のアセンブラプログラムを、２以上の命令の目的ソースのプログラムに書き換える処理である。つまり、一の命令のアセンブラプログラムは２以上の命令群を有する中間言語のプログラムに変換され得る。また、２以上の命令群の中間言語のプログラムは、一または２以上の命令の目的ソースのプログラムに変換され得る。そして、かかる場合、２以上の命令群のアセンブラプログラムを、２以上の命令の目的ソースのプログラムに書き換えられ得る。さらに具体的には、２以上の命令群（ac1,ac2）のアセンブラプログラムが存在する場合、アセンブラプログラムの第一の命令（ac1）が中間言語のプログラム（mc1,mc2）に変換され、アセンブラプログラムの第二の命令（ac2）が中間言語のプログラム（mc3,mc4）に変換された、とする。そして、中間言語のプログラムの第一の命令（mc1）は、目的ソースのプログラムの命令（ts1）に変換され、中間言語のプログラムの第二、第三の命令（mc2,mc3）は、目的ソースのプログラムの命令（ts2）に変換され、中間言語のプログラムの第四の命令（mc4）は、目的ソースのプログラムの命令（ts3）に変換された、とする。かかる場合、２つの命令を有するアセンブラプログラム（ac1,ac2）が、３つの命令（ts1,ts2,ts3）を有する目的ソースのプログラムに変換される。
【００７８】
さらに具体的には、可読性向上処理は、原ソース格納部１１１に格納されている原ソースが有するアセンブラプログラムに対して、１以上の各箇所特定条件を適用し、合致する箇所特定条件に対応する箇所に対して、合致する箇所特定条件に対応する処理である。
【００７９】
第一の可読性向上処理は、箇所特定条件が、プログラムのパターンに関する情報であるソースパターン情報である場合である。かかる場合、可読性向上処理手段１２２１は、原ソース格納部１１１に格納されている原ソースが有するアセンブラプログラムに対して、１以上の各ソースパターン情報を適用し、合致するソースパターン情報に対応する箇所に対して、合致するソースパターン情報に対応する処理であり、プログラムの可読性を向上させる処理である可読性向上処理を行う。合致するソースパターン情報に対応する処理は、通常、プログラムで実現される。
【００８０】
第二の可読性向上処理は、箇所特定条件が、原ソース内において予め決められた条件を満たす箇所の範囲を特定するための条件である範囲条件である場合である。かかる場合、可読性向上処理手段１２２１は、原ソース格納部１１１に格納されている原ソースが有するアセンブラプログラムに対して、１以上の各範囲条件を適用し、合致する範囲条件に対応する箇所に対して、合致する範囲条件に対応する処理であり、プログラムの可読性を向上させる処理である可読性向上処理を行う。なお、合致する範囲条件に対応する処理は、通常、プログラムで実現される。
【００８１】
また、範囲条件は、例えば、着目した一の変数が使用されている生存区間を特定する条件である。生存区間は、着目した一の変数が出現するプログラムの範囲である、と言える。また、範囲条件は、例えば、アセンブラプログラムを静的解析した結果、実行され得ないプログラムの範囲を特定する条件である。
【００８２】
（Ａ）以下、第一の可読性向上処理の具体例を説明する。第一の可読性向上処理の例は、以下の（Ａ−１）から（Ａ−５）の５つである。
【００８３】
（Ａ−１）ソースパターン情報が、ダミーセクションを示す情報を含む場合である。かかる場合、可読性向上処理手段１２２１は、原ソース格納部１１１に格納されている原ソースに対して、１以上の各ソースパターン情報を適用し、ダミーセクションを含む箇所を決定し、箇所に対応するプログラムを、構造体を定義する他言語のプログラムを取得する。
【００８４】
（Ａ−２）ソースパターン情報が、オフセットを持つ戻りであることを示す情報を含む場合である。かかる場合、可読性向上処理手段１２２１は、原ソース格納部１１１に格納されている原ソースに対して、１以上の各ソースパターン情報を適用し、オフセットを持つ戻りを含む箇所を決定し、箇所に対応するプログラムを、プログラムに含まれるオフセットを条件に用いた分岐を示す他言語のプログラムを取得する。
【００８５】
（Ａ−３）ソースパターン情報が、一命令の他言語のプログラムに変換可能なアセンブラの２以上の命令の箇所を特定するためのパターンの情報であり含む場合である。かかる場合、可読性向上処理手段１２２１は、原ソース格納部１１１に格納されている原ソースに対して、１以上の各ソースパターン情報を適用し、２以上の命令の箇所を決定し、箇所に対応するプログラムを、一命令の他言語のプログラムを取得する。
【００８６】
（Ａ−４）ソースパターン情報が、退避コードまたは復帰コードを示す情報を含む場合である。かかる場合、可読性向上処理手段１２２１は、原ソース格納部１１１に格納されている原ソースに対して、１以上の各ソースパターン情報を適用し、退避コードまたは復帰コードの箇所を決定し、箇所に対応するプログラムを、原ソースまたは目的ソースから削除する。可読性向上処理手段１２２１は、退避コードまたは復帰コードが対象とするレジスタまたは変数が、退避コードまたは復帰コードが出現する関数内で使用されていないか否かを判断し、使用されていない場合に、退避コードまたは復帰コードを削除することは好適である。
【００８７】
（Ａ−５）ソースパターン情報が、２以上のジャンプ命令が構成する２以上のループの一部が重なっていることを示す情報を含む場合である。かかる場合、可読性向上処理手段１２２１は、原ソース格納部１１１に格納されている原ソースに対して、１以上の各ソースパターン情報を適用し、２以上のループの一部が重なっている箇所を決定し、箇所に対応するプログラムを、予め決められた条件を満たす一のループを優先し、ジャンプ命令を有さないループを示す他言語のプログラムに変更する。
【００８８】
ここで、予め決められた条件とは、例えば、以下の（１）（２）の２つである。
（１）ボトムが起点から最も遠いループであること。
【００８９】
この条件の場合、ループが複数あれば、 可読性向上処理手段１２２１は、ボトムが起点から遠いループを優先し、当該優先されたループの箇所を、他言語のループのプログラムに書き換え、当該優先されたループの箇所からジャンプ命令を無くす。これは、複雑な構造がある場合に、なるべくループへの飛び込みを避けることにより、プログラムの可読性を良くする趣旨である。なお、この場合、ループからの飛び出しは容認する。
【００９０】
また、ここで、起点とは、複数のループを含むプログラム群の最初の命令（行と言っても良い）または基本ブロックである。また、ボトムとは、複数のループを含むプログラム群の最後の命令（行と言っても良い）または基本ブロックである。さらに、他言語のループのプログラムとは、例えば、Ｃ言語の場合、「while」や「for」を用いたプログラムである。なお、基本ブロックとは、１または２以上の命令の集合であり、変換処理の単位である。また、変換処理の単位とは、第一命令から第二命令を取得する処理の対象である。
（２）ボトムが同じループが複数ある場合、ループのトップが起点から最も近いループであること。
【００９１】
この条件の場合、ボトムが同じループが複数あれば、可読性向上処理手段１２２１は、トップが起点から最も近いループを優先し、当該優先されたループの箇所を、他言語のループのプログラムに書き換え、当該優先されたループの箇所からジャンプ命令を無くす。
【００９２】
本条件に対応するマイグレーション処理を行うことにより、可読性が向上するだけではなく、外側のループから処理することになり、全体の計算量が少なくなる、という効果がある。
【００９３】
（Ｂ）以下、第二の可読性向上処理の具体例を説明する。第二の可読性向上処理の例は、以下の（Ｂ−１）から（Ｂ−２）の２つである。
【００９４】
（Ｂ−１）範囲条件が、実行され得ないプログラムの範囲を判定するための条件である場合である。かかる場合、可読性向上処理手段１２２１は、原ソースを静的解析し、合致する範囲条件に対応する箇所のプログラムを特定し、プログラムを削除する。
【００９５】
（Ｂ−２）範囲条件が、変数を特定するための条件である場合である。かかる場合、可読性向上処理手段１２２１は、原ソースまたは目的ソースから変数を取得し、変数の生存区間を取得し、変数を、生存区間におけるローカル変数として定義する可読性向上処理を行う。
【００９６】
なお、可読性向上処理手段１２２１は、例えば、原ソースまたは目的ソースに出現する一の変数に対して、出現する１以上の基本ブロックを特定する。そして、可読性向上処理手段１２２１は、特定した１以上の基本ブロックを一の関数として定義する。そして、可読性向上処理手段１２２１は、当該一の関数の命令の前に、当該一の変数を定義する。  例えば、変換する他言語がＣ言語の場合、可読性向上処理手段１２２１は、例えば、「function_name（）{  １以上の変数定義;  １以上の基本ブロックを変換した他言語の命令列;}」を取得する。なお、「function_name」は関数名であり、可読性向上処理手段１２２１が、予め決められた規則に基づいて生成した関数名であることは好適である。また、「１以上の変数定義」は、例えば、「char 変数名;」「int 変数名;」などであり、可読性向上処理手段１２２１は、Ｃ言語の文法に従って、変数の型、変数名を取得し、記載する。なお、変数名は、予め決められたルールに基づいて、決定されることは好適である。
【００９７】
目的ソース構成部１２３は、原ソース内の２以上の各コメントを取得し、２以上のコメントと命令変換部１２２が取得した１以上の第二命令とを有する目的ソースを構成する。目的ソース構成部１２３は、プログラム取得部１２１から２以上のコメントを取得しても良いし、目的ソース構成部１２３が原ソースから、直接に２以上のコメントを取得しても良い。
【００９８】
目的ソース構成部１２３は、原ソース内の２以上の各コメントに対して、コメントと当該コメントに対応する第一命令との配置関係を決定し、当該決定した配置関係に応じて、各コメントに対応する第一命令に対応する第二命令に対して、各コメントを異なる位置に配置して、２以上のコメントと１以上の第二命令とを有する目的ソースを構成する。
【００９９】
目的ソース構成部１２３は、通常、コメントを取得する。そして、目的ソース構成部１２３は、通常、取得したコメントに対応する第一命令を決定する。次に、目的ソース構成部１２３は、取得したコメントと決定した第一命令との配置関係から配置関係を示す情報である配置関係情報を取得する。配置関係情報は、通常、コメントが当該コメントに対応する第一命令の横に配置されている横配置関係を示す情報（例えば、値「０」）、コメントが当該コメントに対応する第一命令の上に配置されている上配置関係を示す情報（例えば、値「１」）を有する２種類以上の情報のうちのいずれかである。また、配置関係情報は、横配置関係および上配置関係に加えて、さらに、コメントが当該コメントに対応する第一命令の下に配置されている下配置関係を示す情報（例えば、値「２」）を有する３種類の情報のうちのいずれかであっても良い。そして、目的ソース構成部１２３は、命令変換部１２２が取得した第二命令に対して、当該第二命令の元になった第一命令に対応するコメントを、配置関係情報が示す位置に配置して、２以上のコメントと１以上の第二命令とを有する目的ソースを構成する。
【０１００】
目的ソース構成部１２３は、取得したコメントと同じ行に第一命令が存在すると判断した場合、当該コメントを、当該第一命令に対応するコメントである、と決定する。そして、目的ソース構成部１２３は、横配置関係情報（例えば、値「０」）を取得する。なお、かかるコメントは、対応する第一命令に対して、横配置関係にあるコメントである。また、この第一命令に対して横配置関係にあるコメントを横コメントという。
【０１０１】
さらに、目的ソース構成部１２３は、取得したコメントと同じ行に第一命令が存在しないと判断した場合であり、当該コメントの行の次の命令が特定命令でないと判断した場合、当該コメントを当該コメントの直下にある第一命令に対応するコメントである、と決定する。そして、目的ソース構成部１２３は、上配置関係情報（例えば、値「１」）を取得する。なお、かかるコメントは、対応する第一命令に対して、上配置関係にあるコメントである。また、第一命令に対して上配置関係にあるコメントを上コメントという。コメントの直下にある第一命令とは、コメントの下に存在する第一命令であり、コメントとの間に他の第一命令を含まない（コメントは含んでも良い）命令である。なお、コメントの下に存在する第一命令とは、通常、原ソースのファイル内において、コメントの下に存在する第一命令である。また、特定命令は、通常、上コメントに対応しない。なお、特定命令とは、予め決められた命令であり、通常、コメントが付かない命令である。特定命令は、例えば、EJECT命令である。また、特定命令は、例えば、EXIT命令、RETURN命令、END命令等である。
【０１０２】
また、目的ソース構成部１２３は、２以上の特定命令の間に、特定命令以外の第一命令が存在しないと判断した場合であり、当該２以上の特定命令の間にコメントが存在すると判断した場合、当該２以上の特定命令の間のコメントは、当該２以上の特定命令の直上に存在する第一命令に対応するコメントであり、当該第一命令の下コメント（下配置関係を有するコメント）であると判断する。
【０１０３】
例えば、原ソースが、
命令Ａ
*コメント１
EJECT
*コメント２
EJECT
*コメント３
命令Ｂ
である場合、目的ソース構成部１２３は、「コメント１」「コメント２」を「命令Ａ」の下コメントであると判断し、「コメント３」を「命令Ｂ」の上コメントであると判断する。
【０１０４】
さらに、目的ソース構成部１２３は、取得したコメントと同じ行に第一命令が存在しないと判断した場合であり、当該コメントの行の次の命令が特定命令であると判断した場合、当該コメントを当該コメントの直上にある第一命令に対応するコメントである、と決定する。そして、目的ソース構成部１２３は、下配置関係情報（例えば、値「２」）を取得する。なお、かかるコメントは、対応する第一命令に対して、下配置関係にあるコメントである。また、第一命令に対して下配置関係にあるコメントを下コメントという。なお、コメントの直上にある第一命令とは、コメントの上に存在する第一命令であり、コメントとの間に他の第一命令を含まない（コメントは含んでも良い）命令である。なお、コメントの上に存在する第一命令とは、通常、原ソースのファイル内において、コメントの上に存在する第一命令である。なお、特定命令を特定する情報は、格納部１１が格納している、とする。
【０１０５】
目的ソース構成部１２３は、２以上の第一命令が一の第二命令に対応する場合、例えば、２以上の各第一命令に対して上配置関係にあるすべてのコメントを、一の第二命令の上に配置して、２以上のコメントと１以上の第二命令とを有する目的ソースを構成することは好適である。なお、２以上の第一命令が一の第二命令に対応する場合とは、命令変換部１２２が２以上の第一命令を変換して一の第二命令を取得した場合である。
【０１０６】
目的ソース構成部１２３は、２以上の第一命令が２以上の第二命令に対応する場合、例えば、２以上の各第一命令に対して上配置関係にあるすべてのコメントを、２以上の第二命令のうち、最も上に配置される一の第二命令の上に配置して、２以上のコメントと２以上の第二命令とを有する目的ソースを構成する。なお、２以上の第一命令が２以上の第二命令に対応する場合とは、命令変換部１２２が２以上の第一命令を変換して２以上の第二命令を取得した場合である。
【０１０７】
目的ソース構成部１２３は、２以上の第一命令が２以上の第二命令に対応する場合、例えば、２以上の各第一命令に対して横配置関係にあるコメントのうち、未配置のコメントのみを、２以上の第二命令のうち、最も上に配置される一の第二命令の横に配置して、２以上のコメントと２以上の第二命令とを有する目的ソースを構成する。
【０１０８】
目的ソース構成部１２３は、２以上の第一命令が一の第二命令に対応する場合、例えば、２以上の各第一命令に対して下配置関係の配置関係にあるすべてのコメントを、一の第二命令の下に配置して、２以上のコメントと１以上の第二命令とを有する目的ソースを構成する。
【０１０９】
目的ソース構成部１２３は、２以上の第一命令が２以上の第二命令に対応する場合、例えば、２以上の各第一命令に対して下配置関係にあるすべてのコメントを、２以上の第二命令のうち、最も下に配置される一の第二命令の下に配置して、２以上のコメントと２以上の第二命令とを有する目的ソースを構成する。
【０１１０】
出力部１３は、目的ソース構成部１２３が構成した目的ソースを出力する。ここでの目的ソースは、２以上のコメントと１または２以上の第二命令とを有する。目的ソースは、通常、ファイルで構成されるが、データベースで構成されても良く、そのデータ構造は問わない。また、ここで、出力とは、通常、記録媒体への蓄積であるが、ディスプレイへの表示、プロジェクターを用いた投影、プリンタでの印字、音出力、外部の装置への送信、他の処理装置や他のプログラムなどへの処理結果の引渡しなどを含む概念である。
【０１１１】
格納部１１、原ソース格納部１１１、箇所特定条件格納部１１２、および変換情報格納部１１３は、不揮発性の記録媒体が好適であるが、揮発性の記録媒体でも実現可能である。
【０１１２】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【０１１３】
処理部１２、プログラム取得部１２１、命令変換部１２２、可読性向上処理手段１２２１、目的ソース構成部１２３、および出力部１３は、通常、ＭＰＵやメモリ等から実現され得る。処理部１２等の処理手順は、通常、ソフトウェアで実現され、当該ソフトウェアはＲＯＭ等の記録媒体に記録されている。但し、ハードウェア（専用回路）で実現しても良い。
【０１１４】
出力部１３は、例えば、出力デバイスのドライバーソフトまたは、出力デバイスのドライバーソフトと出力デバイス等で実現され得る、と考えても良い。
【０１１５】
次に、マイグレーション装置１の動作例について、図２のフローチャートを用いて説明する。
【０１１６】
（ステップＳ２０１）プログラム取得部１２１は、原ソース格納部１１１に格納されている原ソースから、第一言語のプログラムを取得する。
【０１１７】
（ステップＳ２０２）命令変換部１２２は、ステップＳ２０１で取得されたプログラムに対して、静的解析処理を行う。静的解析処理について、図３のフローチャートを用いて説明する。
【０１１８】
（ステップＳ２０３）命令変換部１２２は、カウンタｉに１を代入する。
【０１１９】
（ステップＳ２０４）命令変換部１２２は、ｉ番目の基本ブロックが存在するか否かを判断する。ｉ番目の基本ブロックが存在する場合はステップＳ２０５に行き、ｉ番目の基本ブロックが存在しない場合は処理を終了する。
【０１２０】
（ステップＳ２０５）可読性向上処理手段１２２１は、カウンタｊに１を代入する。
【０１２１】
（ステップＳ２０６）可読性向上処理手段１２２１は、ｊ番目の箇所特定条件が箇所特定条件格納部１１２に存在するか否かを判断する。ｊ番目の箇所特定条件が存在する場合はステップＳ２０７に行き、存在しない場合はステップＳ２１３に行く。
【０１２２】
（ステップＳ２０７）可読性向上処理手段１２２１は、箇所特定条件格納部１１２からｊ番目の箇所特定条件を取得する。
【０１２３】
（ステップＳ２０８）可読性向上処理手段１２２１は、ｉ番目の基本ブロックがｊ番目の箇所特定条件に合致するか否かを判断する。合致する場合はステップＳ２０９に行き、合致しない場合はステップＳ２２０に行く。なお、ｉ番目の基本ブロックの一部のアセンブラプログラムがｊ番目の箇所特定条件に合致する場合も、ｉ番目の基本ブロックがｊ番目の箇所特定条件に合致するとする。また、ｉ番目の基本ブロックのアセンブラプログラムが変換された中間表現（中間コードと言っても良い）の全部または一部が、ｊ番目の箇所特定条件に合致する場合も、ｉ番目の基本ブロックがｊ番目の箇所特定条件に合致するとする。
【０１２４】
（ステップＳ２０９）可読性向上処理手段１２２１は、ｊ番目の箇所特定条件に合致する箇所を対象として、ｊ番目の箇所特定条件に対応する処理を行い、当該合致する箇所に対応する他言語のプログラムを取得する。
【０１２５】
（ステップＳ２１０）可読性向上処理手段１２２１は、ｉ番目の基本ブロックのすべてが、他言語のプログラムに変換されたか否かを判断する。ｉ番目の基本ブロックのすべてが変換された場合はステップＳ２１１に行き、ｉ番目の基本ブロックにおいて未変換の箇所を含む場合はステップＳ２２０に行く。
【０１２６】
（ステップＳ２１１）目的ソース構成部１２３は、コメント配置処理を行う。コメント配置処理は、原ソース内のコメントを、目的ソース内に配置する処理である。コメント配置処理の詳細について、図４のフローチャートを用いて説明する。
【０１２７】
（ステップＳ２１２）命令変換部１２２は、カウンタｉを１、インクリメントする。ステップＳ２０４に戻る。
【０１２８】
（ステップＳ２１３）命令変換部１２２は、カウンタｋに１を代入する。
【０１２９】
（ステップＳ２１４）命令変換部１２２は、変換情報格納部１１３にｋ番目の変換情報が存在するか否を判断する。ｋ番目の変換情報が存在する場合はステップＳ２１５に行き、ｋ番目の変換情報が存在しない場合はステップＳ２１９に行く。
【０１３０】
（ステップＳ２１５）命令変換部１２２は、ｉ番目の基本ブロックがｋ番目の変換情報に対応するか否かを判断する。ｉ番目の基本ブロックがｋ番目の変換情報に対応する場合はステップＳ２１６に行き、対応しない場合はステップＳ２１８に行く。なお、ｉ番目の基本ブロックがｋ番目の変換情報に対応することは、ｉ番目の基本ブロックの中に、変換情報が有するアセンブラパターン情報に合致するアセンブラプログラムを少なくとも一部に含むことである。
【０１３１】
（ステップＳ２１６）命令変換部１２２は、ｋ番目の変換情報を用いて、ｋ番目の変換情報に対応するアセンブラプログラムを、他言語のプログラムに変換する。命令変換部１２２は、例えば、ｋ番目の変換情報に対応するアセンブラプログラムを、ｋ番目の変換情報が有する他言語パターン情報を用いて、他言語のプログラムを取得する。また、命令変換部１２２は、例えば、ｋ番目の変換情報であるプログラムを実行し、他言語のプログラムを取得する。
【０１３２】
（ステップＳ２１７）命令変換部１２２は、ｉ番目の基本ブロックに含まれるすべてのアセンブラプログラムの変換が完了したか否かを判断する。ｉ番目の基本ブロックの変換が完了した場合はステップＳ２１１に行き、変換が完了していない場合はステップＳ２１８に行く。
【０１３３】
（ステップＳ２１８）命令変換部１２２は、カウンタｋを１、インクリメントする。ステップＳ２１４に戻る。
【０１３４】
（ステップＳ２１９）出力部１３は、ｉ番目の基本ブロックの中に変換できないプログラムが存在する旨のエラーを出力する。
【０１３５】
（ステップＳ２２０）可読性向上処理手段１２２１は、カウンタｊを１、インクリメントする。ステップＳ２０６に戻る。
【０１３６】
なお、図２のフローチャートにおいて、原ソースがアセンブラ言語以外の他言語のプログラムを含む場合、当該他言語のプログラムも、マイグレーションのために変換することは好適である。かかる変換処理は、例えば、特許第４３５４５１４号、特許第４６９８９４３号、特許第５１２４６６０号、特許第５２５３１１５号等に記載の公知技術等を用いて行うことができる。
【０１３７】
また、図２のフローチャートにおいて、原ソースの第一言語がアセンブラ言語である場合の例を説明したが、第一言語がアセンブラ言語以外であっても良い。
【０１３８】
次に、ステップＳ２０２の静的解析処理の一例について、図３のフローチャートを用いて説明する。なお、静的解析処理は、ここでは、基本ブロックの範囲を確定する処理と、基本ブロック間のリンクを生成する処理と、実行され得ないプログラムの箇所を特定するための処理である。
【０１３９】
（ステップＳ３０１）命令変換部１２２は、カウンタｉに１、カウンタｊに１を代入する。
【０１４０】
（ステップＳ３０２）命令変換部１２２は、ステップＳ２０１で取得されたアセンブラプログラムの中の命令であり、次に実行され得るｉ番目の命令が存在するか否かを判断する。ｉ番目の命令が存在する場合はステップＳ３０３に行き、ｉ番目の命令が存在しない場合はステップＳ３１１に行く。
【０１４１】
（ステップＳ３０３）命令変換部１２２は、ｉ番目の命令は分岐命令であるか否かを判断する。分岐命令である場合はステップＳ３０７に行き、分岐命令でない場合はステップＳ３０４に行く。
【０１４２】
（ステップＳ３０４）命令変換部１２２は、ｉ番目の命令に対して、他の命令から分岐されてくる可能性があるか否か（ジャンプの先として指定されている命令が存在するか否か）を判断する。他の命令から分岐されてくる可能性がある場合はステップＳ３０７に行き、他の命令から分岐されてくる可能性がない場合はステップＳ３０５に行く。
【０１４３】
（ステップＳ３０５）命令変換部１２２は、ｉ番目の命令をバッファに配置する。なお、バッファは、基本ブロックを作り出すためのワーク用の記憶領域である。
【０１４４】
（ステップＳ３０６）命令変換部１２２は、カウンタｉを１、インクリメントする。ステップＳ３０２に戻る。
【０１４５】
（ステップＳ３０７）命令変換部１２２は、バッファ内の１以上の命令群をｊ番目の基本ブロックとする処理を行う。かかる処理は、例えば、基本ブロックを構成する１以上の命令に対して、「ｊ」を付加したり、「ｊ」をリンク付けたり、基本ブロックを構成する１以上の命令を他と区別してバッファに格納したりすること等である。なお、バッファ内に命令を有しない場合は、何らの処理も行わず、ステップＳ３０５に戻る。
【０１４６】
（ステップＳ３０８）命令変換部１２２は、ｊ番目の基本ブロックからのリンク先が存在する場合、当該リンク先の基本ブロックの識別子を、ｊ番目の基本ブロックに付加する。かかる処理は、基本ブロック間の制御フローが判断され得る情報を構成する処理であれば、何でも良い。
【０１４７】
（ステップＳ３０９）命令変換部１２２は、バッファ内の命令群を削除する。
【０１４８】
（ステップＳ３１０）命令変換部１２２は、カウンタｊを１、インクリメントする。ステップＳ３０５に戻る。
【０１４９】
（ステップＳ３１１）命令変換部１２２は、未処理の命令（箇所）に未処理を示すフラグを付す。なお、未処理の命令は、実行され得ない命令である。また、未処理の命令は存在しない可能性もあり、かかる場合、本ステップは実行されない。上位処理にリターンする。
【０１５０】
なお、図３のフローチャートにおいて、可読性向上処理手段１２２１は、未処理を示すフラグを付した箇所のアセンブラプログラムを削除することは好適である。
【０１５１】
また、図３のフローチャートにおいて示した静的解析処理は一例であり、異なるアルゴリズムにより、基本ブロックの範囲を確定する処理と、基本ブロック間のリンクを生成する処理と、実行され得ないプログラムの箇所を特定するための処理を行っても良い。
【０１５２】
次に、ステップＳ２１１のコメント配置処理の詳細について、図４のフローチャートを用いて説明する。
【０１５３】
（ステップＳ４０１）目的ソース構成部１２３は、カウンタｋに１を代入する。
【０１５４】
（ステップＳ４０２）目的ソース構成部１２３は、着目する基本ブロック内に、ｋ番目のコメントが存在するか否かを判断する。ｋ番目のコメントが存在すればステップＳ４０３に行き、ｋ番目のコメントが存在しなければ上位処理にリターンする。なお、目的ソース構成部１２３は、通常、原ソース内の着目する基本ブロックを上から検査していき、順にコメントを取得する。また、着目する基本ブロックとは、第二命令への変換が完了した基本ブロックであり、図２のｉ番目の基本ブロックである。
【０１５５】
（ステップＳ４０３）目的ソース構成部１２３は、ステップＳ４０２で取得したコメントに対応する第一命令を決定する。なお、コメントに対応する第一命令の決定方法の例は、上述した。
【０１５６】
（ステップＳ４０４）目的ソース構成部１２３は、ステップＳ４０２で取得したコメントとステップＳ４０３で決定した第一命令との配置関係を決定する。なお、目的ソース構成部１２３は、例えば、横配置関係を示す情報（例えば、値「０」）、上配置関係を示す情報（例えば、値「１」）、または下配置関係を示す情報（例えば、値「２」）を有する３種類の情報のうちのいずれかの配置関係情報を取得する。
【０１５７】
（ステップＳ４０５）目的ソース構成部１２３は、ステップＳ４０４で決定した配置関係が横配置関係であるか否かを判断する。横配置関係である場合はステップＳ４０６に行き、横配置関係でない場合はステップＳ４０９に行く。
【０１５８】
（ステップＳ４０６）目的ソース構成部１２３は、ステップＳ４０３で決定した第一命令に対応する１または２以上の第二命令のうち、最も上の第二命令を決定する。
【０１５９】
（ステップＳ４０７）目的ソース構成部１２３は、ステップＳ４０６で決定した最も上の第二命令の横にコメントを配置する。なお、当該第二命令の横にコメントが存在する場合は、目的ソース構成部１２３は、例えば、当該第二命令と同一の行の最右側にコメントを追記する。
【０１６０】
（ステップＳ４０８）目的ソース構成部１２３は、カウンタｋを１、インクリメントする。ステップＳ４０２に戻る。
【０１６１】
（ステップＳ４０９）目的ソース構成部１２３は、ステップＳ４０４で決定した配置関係が上配置関係であるか否かを判断する。上配置関係である場合はステップＳ４１０に行き、上配置関係でない場合はステップＳ４１２に行く。
【０１６２】
（ステップＳ４１０）目的ソース構成部１２３は、ステップＳ４０３で決定した第一命令に対応する１または２以上の第二命令のうち、最も上の第二命令を決定する。
【０１６３】
（ステップＳ４１１）目的ソース構成部１２３は、ステップＳ４１０で決定した最も上の第二命令の上にコメントを配置する。ステップＳ４０８に行く。なお、当該第二命令の上にコメントが既に存在する場合は、目的ソース構成部１２３は、例えば、当該第二命令の行の直上の行にコメントを追記する。
【０１６４】
（ステップＳ４１２）目的ソース構成部１２３は、ステップＳ４０４で決定した配置関係が下配置関係であるか否かを判断する。下配置関係である場合はステップＳ４１３に行き、下配置関係でない場合はステップＳ４０８に行く。
【０１６５】
（ステップＳ４１３）目的ソース構成部１２３は、ステップＳ４０３で決定した第一命令に対応する１または２以上の第二命令のうち、最も下の第二命令を決定する。
【０１６６】
（ステップＳ４１４）目的ソース構成部１２３は、ステップＳ４１３で決定した最も下の第二命令の下にコメントを配置する。なお、当該第二命令の下にコメントが既に存在する場合は、目的ソース構成部１２３は、例えば、当該第二命令の最下位のコメントのさらに下の行にコメントを追記する。ステップＳ４０８に行く。
【０１６７】
なお、上記のフローチャートにおいて、命令の変換処理とコメント配置処理とは順次実施された。しかし、命令の変換処理とコメント配置処理とが、並行して行われても良い。つまり、命令の変換処理とコメント配置処理との処理順序等は問わない。
【０１６８】
また、図４のフローチャートで説明したコメントの配置方法を、図５から図７を用いて、説明する。
【０１６９】
今、原ソース格納部１１１は、図５に示す原ソースを格納している、とする。そして、命令変換部１２２は、命令１、命令２、命令３、命令４からなる第一命令群（基本ブロックと言っても良い）を、命令Ａ、命令Ｂ、命令Ｃからなる第二命令群に変換した、とする。
【０１７０】
そして、命令変換部１２２における命令の変換の過程で、命令Ａは、命令１の一部および命令２の一部から生成された命令であることが、図示しないバッファに蓄積された、とする。また、命令変換部１２２における命令の変換の過程で、命令Ｂは、命令１の一部および命令３から生成された命令であることが、図示しないバッファに蓄積された、とする。さらに、命令Ｃは、命令１の一部、命令２の一部、および命令４から生成された命令であることが、図示しないバッファに蓄積された、とする。つまり、命令変換部１２２は、命令変換の過程で、図６に示す第一命令と第二命令との対応表を取得した、とする。なお、対応表は、第一命令と第二命令との対応を示す図である。なお、ここでの対応表は、第一命令が一度のみ出現し、第二命令が複数回出現し得る構造であるが、第二命令が一度のみ出現し、第一命令が複数回出現し得る構造であっても良い。つまり、対応表は、第一命令と第二命令との対応を示す情報が格納されれば、何でも良い。
【０１７１】
次、目的ソース構成部１２３は、図５の原ソースから順にコメントを取得する。なお、ここでのコメントは、文字「＊」から開始され、「改行コード」までの文字列である、とする。そして、目的ソース構成部１２３は、文字「＊」をキーとして、文字「＊」の次の文字から「改行コード」までの文字列を、原ソースから抽出する。なお、原ソースからコメントを抽出する技術は公知技術であり、種々あり得る。
【０１７２】
つまり、まず、目的ソース構成部１２３は、「コメント１上」を取得する。そして、目的ソース構成部１２３は、「コメント１上」に対応する第一命令は命令１である、と判断する。そして、目的ソース構成部１２３は、コメント「コメント１上」と命令１との位置関係から、上配置関係を示す配置関係情報を取得する。次に、目的ソース構成部１２３は、命令１に対応する第二命令の中で最上位の命令を、図５の対応表から「命令Ａ」であると決定する。次に、目的ソース構成部１２３は、コメント「コメント１上」を、目的ソースの命令Ａの上の行に配置する。この際、目的ソース構成部１２３は、コメントを示す文字列「//*」をコメント「コメント１上」の前に配置し、コメントを作成する。つまり、目的ソースの命令Ａの上の行に、「//*  コメント１上」が配置された。なお、位置関係とは、コメントと命令との配置の関係である。
【０１７３】
次に、目的ソース構成部１２３は、次の「コメント１横」を取得する。そして、目的ソース構成部１２３は、「コメント１横」に対応する第一命令は命令１である、と判断する。
そして、目的ソース構成部１２３は、コメント「コメント１横」と命令１との位置関係から、横配置関係を示す配置関係情報を取得する。次に、目的ソース構成部１２３は、命令１に対応する第二命令の中で最上位の命令を、図５の対応表から「命令Ａ」であると決定する。次に、目的ソース構成部１２３は、コメント「コメント１横」を、目的ソースの命令Ａと同じ行であり、命令Ａの横に配置する。この際、目的ソース構成部１２３は、コメントを示す文字列「//*」をコメント「コメント１横」の前に配置し、コメントを作成する。つまり、目的ソースの命令Ａと同一の行に、「//*  コメント１横」が配置された。なお、コメントを示す文字列は、「//」等、コンパイラまたはインタプリタ等がコメントとして認識する文字列であれば、何でも良いことは言うまでもない。
【０１７４】
次に、目的ソース構成部１２３は、次の「コメント１下」を取得する。そして、目的ソース構成部１２３は、「コメント１下」の直下の命令が特定命令（特定命令１）であることを検知し、「コメント１下」に対応する第一命令は命令１である、と判断する。そして、目的ソース構成部１２３は、コメント「コメント１下」と命令１との位置関係から、下配置関係を示す配置関係情報を取得する。次に、目的ソース構成部１２３は、命令１に対応する第二命令の中で最下位の命令を、図５の対応表から「命令Ｃ」であると決定する。次に、目的ソース構成部１２３は、コメント「コメント１下」を、目的ソースの命令Ｃの下に配置する。この際、目的ソース構成部１２３は、コメントを示す文字列「//*」をコメント「コメント１下」の前に配置し、コメントを作成する。つまり、目的ソースの命令Ｃの下の行に、「//*  コメント１下」が配置された。
【０１７５】
次に、目的ソース構成部１２３は、次の「コメント２上」を取得する。そして、目的ソース構成部１２３は、「コメント２上」に対応する第一命令は命令２である、と判断する。そして、目的ソース構成部１２３は、コメント「コメント２上」と命令２との位置関係から、上配置関係を示す配置関係情報を取得する。次に、目的ソース構成部１２３は、命令２に対応する第二命令の中で最上位の命令を、図５の対応表から「命令Ａ」であると決定する。次に、目的ソース構成部１２３は、コメント「コメント２上」を、目的ソースの命令Ａの上の行に配置する。この際、目的ソース構成部１２３は、コメントを示す文字列「//*」をコメント「コメント２上」の前に配置し、コメントを作成する。つまり、目的ソースの命令Ａの上の行に、「//*  コメント２上」が配置された。
【０１７６】
次に、目的ソース構成部１２３は、次の「コメント２横」を取得する。そして、目的ソース構成部１２３は、「コメント２横」に対応する第一命令は命令２である、と判断する。そして、目的ソース構成部１２３は、コメント「コメント２横」と命令２との位置関係から、横配置関係を示す配置関係情報を取得する。次に、目的ソース構成部１２３は、命令２に対応する第二命令の中で最上位の命令を、図５の対応表から「命令Ａ」であると決定する。次に、目的ソース構成部１２３は、目的ソースの命令Ａと同じ行にコメントが既に存在することを検知し、当該コメント（コメント「コメント１横」）の次に改行コートを付加し、次の行に、コメント「コメント２横」を配置する。この場合、コメント「コメント２横」と前の行のコメント（「コメント１横」）との先頭文字のオフセットを合わせる（図７参照）ことは好適である。
【０１７７】
なお、目的ソース構成部１２３は、既に、コメントを示す文字列「//*」が命令Ａの横に存在することを検知し、既存のコメントの横に、コメント「コメント２横」を配置しても良い。なお、かかる場合、目的ソース構成部１２３は、例えば、コメント「コメント２横」の前に、コメントの区切りを示す文字列（ここでは、「スペース」）を配置する、とする。なお、コメントの区切りを示す文字列は「，」「；」等でも良い。
【０１７８】
次に、目的ソース構成部１２３は、次の「コメント２下」を取得する。そして、目的ソース構成部１２３は、「コメント２下」の直下の命令が特定命令（特定命令２）であることを検知し、「コメント２下」に対応する第一命令は命令２である、と判断する。そして、目的ソース構成部１２３は、コメント「コメント２下」と命令２との位置関係から、下配置関係を示す配置関係情報を取得する。次に、目的ソース構成部１２３は、命令２に対応する第二命令の中で最下位の命令を、図５の対応表から「命令Ｃ」であると決定する。次に、目的ソース構成部１２３は、コメント「コメント２下」を、目的ソースの命令Ｃの下に配置する。この際、目的ソース構成部１２３は、コメントを示す文字列「//*」をコメント「コメント２下」の前に配置し、コメントを作成する。つまり、目的ソースの命令Ｃの下の行に、「//*  コメント２下」が配置された。なお、命令Ｃの下の行に既にコメント（コメント１下）が存在するので、目的ソース構成部１２３は、既存のコメント（コメント１下）の直下の行に、下コメントを配置する。
【０１７９】
次に、目的ソース構成部１２３は、次の「コメント３上」を取得する。そして、目的ソース構成部１２３は、「コメント３上」に対応する第一命令は命令３である、と判断する。そして、目的ソース構成部１２３は、コメント「コメント３上」と命令３との位置関係から、上配置関係を示す配置関係情報を取得する。次に、目的ソース構成部１２３は、命令３に対応する第二命令の中で最上位の命令を、図５の対応表から「命令Ｂ」であると決定する。次に、目的ソース構成部１２３は、コメント「コメント３上」を、目的ソースの命令Ｂの上の行に配置する。この際、目的ソース構成部１２３は、コメントを示す文字列「//*」をコメント「コメント３上」の前に配置し、コメントを作成する。つまり、目的ソースの命令Ｂの上の行に、「//*  コメント３上」が配置された。
【０１８０】
次に、目的ソース構成部１２３は、次の「コメント３横」を取得する。そして、目的ソース構成部１２３は、「コメント３横」に対応する第一命令は命令３である、と判断する。そして、目的ソース構成部１２３は、コメント「コメント３横」と命令３との位置関係から、横配置関係を示す配置関係情報を取得する。次に、目的ソース構成部１２３は、命令３に対応する第二命令の中で最上位の命令を、図５の対応表から「命令Ｂ」であると決定する。次に、目的ソース構成部１２３は、コメント「コメント３横」を、目的ソースの命令Ｂと同じ行であり、命令Ｂの横に配置する。この際、目的ソース構成部１２３は、コメントを示す文字列「//*」をコメント「コメント３横」の前に配置し、コメントを作成する。つまり、目的ソースの命令Ｂと同一の行に、「//*  コメント３横」が配置された。
【０１８１】
次に、目的ソース構成部１２３は、次の「コメント３下」を取得する。そして、目的ソース構成部１２３は、「コメント３下」の直下の命令が特定命令（特定命令３）であることを検知し、「コメント３下」に対応する第一命令は命令３である、と判断する。そして、目的ソース構成部１２３は、コメント「コメント３下」と命令３との位置関係から、下配置関係を示す配置関係情報を取得する。次に、目的ソース構成部１２３は、命令３に対応する第二命令の中で最下位の命令を、図５の対応表から「命令Ｂ」であると決定する。次に、目的ソース構成部１２３は、コメント「コメント３下」を、目的ソースの命令Ｂの下に配置する。この際、目的ソース構成部１２３は、コメントを示す文字列「//*」をコメント「コメント３下」の前に配置し、コメントを作成する。つまり、目的ソースの命令Ｂの下の行に、「//*  コメント３下」が配置された。
【０１８２】
次に、目的ソース構成部１２３は、次の「コメント４上」を取得する。そして、目的ソース構成部１２３は、「コメント４上」に対応する第一命令は命令４である、と判断する。そして、目的ソース構成部１２３は、コメント「コメント４上」と命令４との位置関係から、上配置関係を示す配置関係情報を取得する。次に、目的ソース構成部１２３は、命令４に対応する第二命令の中で最上位の命令を、図５の対応表から「命令Ｃ」であると決定する。次に、目的ソース構成部１２３は、コメント「コメント４上」を、目的ソースの命令Ｃの上の行に配置する。この際、目的ソース構成部１２３は、コメントを示す文字列「//*」をコメント「コメント４上」の前に配置し、コメントを作成する。つまり、目的ソースの命令Ｃの上の行に、「//*  コメント４上」が配置された。
【０１８３】
次に、目的ソース構成部１２３は、次の「コメント４横」を取得する。そして、目的ソース構成部１２３は、「コメント４横」に対応する第一命令は命令４である、と判断する。そして、目的ソース構成部１２３は、コメント「コメント４横」と命令４との位置関係から、横配置関係を示す配置関係情報を取得する。次に、目的ソース構成部１２３は、命令４に対応する第二命令の中で最上位の命令を、図５の対応表から「命令Ｃ」であると決定する。次に、目的ソース構成部１２３は、コメント「コメント４横」を、目的ソースの命令Ｃと同じ行であり、命令Ｃの横に配置する。
【０１８４】
次に、目的ソース構成部１２３は、次の「コメント４下」を取得する。そして、目的ソース構成部１２３は、「コメント４下」の直下の命令が特定命令（特定命令４）であることを検知し、「コメント４下」に対応する第一命令は命令４である、と判断する。そして、目的ソース構成部１２３は、コメント「コメント４下」と命令４との位置関係から、下配置関係を示す配置関係情報を取得する。次に、目的ソース構成部１２３は、命令４に対応する第二命令の中で最下位の命令を、図５の対応表から「命令Ｃ」であると決定する。次に、目的ソース構成部１２３は、コメント「コメント４下」を、目的ソースの命令Ｃの下に配置する。この際、目的ソース構成部１２３は、コメントを示す文字列「//*」をコメント「コメント４下」の前に配置し、コメントを作成する。つまり、目的ソースの命令Ｃの下の行に、「//*  コメント４下」が配置された。なお、命令Ｃの下の行に既にコメント（コメント１下、コメント２下）が存在するので、目的ソース構成部１２３は、既存の最下位（コメント２下）のコメントの直下の行に、下コメントを配置する。
【０１８５】
以下、本実施の形態におけるマイグレーション装置１の具体的な動作について説明する。今、マイグレーション対象のプログラムの言語は、アセンブラ言語であり、特に、ＩＢＭアセンブラである。また、目的ソースの第二言語のプログラムはＣ言語のプログラムである。
【０１８６】
かかる状況において、以下に、５つの具体例を用いて、マイグレーション装置１を説明する。具体例１から具体例４は、プログラムの変換の処理について説明する具体例である。具体例５は、コメントの移行を含む、プログラム変換について説明する具体例である。
【０１８７】
（具体例１）
具体例１は、第一の可読性向上処理および第二の可読性向上処理の具体例である。具体例１は、ソースパターン情報が、ダミーセクションを示す情報を含む場合であり、かつ退避コードと復帰コードを示す情報を含む場合である。また、具体例１において、範囲条件が、実行され得ないプログラムの範囲を判定するための条件である場合も述べる。つまり、具体例１は、上記の（Ａ−１）、（Ａ−４）、（Ｂ−１）に該当する。
【０１８８】
今、原ソース格納部１１１は、図８に示す原ソースを格納している、とする。原ソースは、アセンブラ言語のプログラムの一部である。
【０１８９】
また、箇所特定条件格納部１１２は、図９に示す箇所特定条件管理表を格納している、とする。箇所特定条件管理表は、「ＩＤ」「箇所特定条件」「変換情報」を有する１以上のレコードを格納している。「ＩＤ」はレコードを識別する情報である。「箇所特定条件」は、可読性向上処理を行う変換対象の箇所を特定する情報である。「箇所特定条件」は「開始条件」「終了条件」を有しても良い。「開始条件」は「箇所特定条件」に合致する箇所の開始の箇所を特定する条件である。「終了条件」は「箇所特定条件」に合致する箇所の終了の箇所を特定する条件である。つまり、「開始条件」に合致する箇所と「終了条件」に合致する箇所との間の範囲が「箇所特定条件」により特定される範囲である。また、「箇所特定条件」は一つの条件のみでも良い。また、「変換情報」は、「アセンブラ」「他言語」を有し得る。「アセンブラ」「他言語」は、「箇所特定条件」により特定された範囲において、「アセンブラ」に合致する命令や定義に対して、「他言語」に対応する他言語を生成することを意味する。また、「変換情報」は、変化のための処理を記述する情報等でも良い。
【０１９０】
図９において、「ＩＤ＝１」の開始条件「＄１ 'DSECT'」の「＄１」はすべての文字列が合致する。つまり、例えば、アセンブラプログラム「PKTDSECT DSECT」は開始条件「＄１   'DSECT'」に合致する。また、「ＩＤ＝１」の終了条件「'CSECT' or 'DCECT' or 'COM' or 'DXD' or 'END' or プログラムの終末」は文字列「CSECT」または文字列「DSECT」または文字列「COM」または文字列「END」に合致する、またはプログラムの終端である場合に真となる。さらに、アセンブラ「＄２ 'DS' 'PL'[1-99]」の[1-99]は、1から99のいずれかの数字であり、「＄２ 'DS' 'PL'[1-99]」は、例えば、「PKT00 DS PL8」が合致する。そして、他言語「'char' ＄２'['[1-99]'];'」は、例えば、「char PKT00[8];」を生成することを示す。  また、図９の「ＩＤ＝２」の箇所特定条件「'STM' 数字','数字','＄１」は、例えば、「STM 13,12,REGSAVEA」が合致することを示す。つまり、「＄１」は任意の文字列に合致する。
【０１９１】
そして、図９の「ＩＤ＝２」の変換情報は、「'STM' ＄レジスタ番号１',' ＄レジスタ番号２','＄１」に合致する命令について、変数＄１がレジスタ退避用の番地を指しており、かつ＄レジスタ番号１で特定されるレジスタから＄レジスタ番号２で特定されるレジスタのうち、当該合致する命令より前に値が定義されていない（使用されていない）レジスタが存在する場合、当該使用されていないレジスタの退避を行う他言語の命令は生成されないことを示す。当該レジスタは使用されていないからである。なお、上記を言い換えれば、「ＩＤ＝２」の変換情報は、「'STM' ＄レジスタ番号１',' ＄レジスタ番号２','＄１」に合致する命令について、変数＄１がレジスタ退避用の番地を指しており、かつ＄レジスタ番号１で特定されるレジスタから＄レジスタ番号２で特定されるレジスタのうち、当該命令より前に値が定義されている（使用されている）レジスタのみに対して、退避を行う他言語の命令を生成することを示す。
【０１９２】
また、図９の「ＩＤ＝３」の変換情報は、「'LM' ＄レジスタ番号３',' ＄レジスタ番号４','＄１」内の変数＄１がレジスタ退避用の番地を指しており、かつ＄レジスタ番号３で特定されるレジスタから＄レジスタ番号４で特定されるレジスタのうち、当該命令より後に値が参照されていない（使用されていない）レジスタが存在する場合、当該使用されていないレジスタの復帰を行う他言語の命令は生成されないことを示す。当該レジスタは使用されていないからである。なお、上記を言い換えれば、「ＩＤ＝３」の変換情報は、「'LM' ＄レジスタ番号３',' ＄レジスタ番号４','＄１」内の変数＄１がレジスタ退避用の番地を指しており、かつ＄レジスタ番号３で特定されるレジスタから＄レジスタ番号４で特定されるレジスタのうち、当該命令より後に値が参照されている（使用されている）レジスタのみに対して、復帰を行う他言語の命令を生成することを示す。
【０１９３】
以上に基づいて、マイグレーション装置１は、処理を開始した、とする。すると、プログラム取得部１２１は、原ソース格納部１１１に格納されている原ソースから、図８に示すアセンブラ言語で記述されたプログラムを取得する。
【０１９４】
次に、命令変換部１２２は、取得されたアセンブラプログラムに対して、静的解析処理を行う。そして、命令変換部１２２は、アセンブラプログラムを基本ブロックに分割する。そして、可読性向上処理手段１２２１は、未処理の命令（箇所）のアセンブラプログラムを削除する。
【０１９５】
次に、命令は、基本ブロック毎に、Ｃ言語に変換する。つまり、可読性向上処理手段１２２１は、図９の「ＩＤ＝１」の箇所特定条件を図８のアセンブラプログラムに適用し、当該箇所特定条件に合致するダミーセクションの領域を検知する。そして、「ＩＤ＝１」の変換情報の各「アセンブラ」に合致する命令や定義を、対応する「他言語」の情報を用いて、Ｃ言語に変換する。そして、可読性向上処理手段１２２１は、アセンブラのダミーセクションの定義を、Ｃ言語の構造体の定義に変換する。つまり、可読性向上処理手段１２２１は、図８の８０１の箇所のアセンブラプログラムを、図９の「ＩＤ＝１」のレコードの情報を用いて、図１０の１００１のＣ言語のプログラムを生成する。
【０１９６】
次に、命令変換部１２２は、図９の「ＩＤ＝２」の箇所特定条件を図８のアセンブラプログラムに適用し、退避コードの領域を検知する。そして、「ＩＤ＝２」の変換情報に合致するように、退避コードの箇所を削除する。なお、ここで、変数「REGSAVEA」は、退避コードが出現する関数内では使用されていないとする。つまり、可読性向上処理手段１２２１は、図８の８０２の箇所のアセンブラプログラムを、図９の「ＩＤ＝２」のレコードの情報を用いて、図１０の１００２のＣ言語のプログラム「BB1:  ;」を生成する。なお、「BB1:」はラベルである。また、命令変換部１２２は、「すべての基本ブロックの先頭にラベルを生成する」という予め決められたルールに従って、「BB1:」を生成する。なお、予め決められたルールは、例えば、命令変換部１２２が保持している。
【０１９７】
次に、命令変換部１２２は、図９の「ＩＤ＝３」の箇所特定条件を図８のアセンブラプログラムに適用し、復帰コードの領域を検知する。そして、「ＩＤ＝３」の変換情報に合致するように、復帰コードの箇所を削除する。なお、ここで、変数「REGSAVEA」は、復帰コードが出現する関数内では使用されていないとする。つまり、可読性向上処理手段１２２１は、図８の８０３の箇所のアセンブラプログラムを、図９の「ＩＤ＝３」のレコードの情報を用いて、図１０の１００３のＣ言語のプログラム「BB2:  ;」を生成する。なお、「BB2:」はラベルである。また、命令変換部１２２は、予め決められたルールに従って、「BB2:」を生成する。なお、予め決められたルールは、例えば、命令変換部１２２が保持している。
【０１９８】
また、次に、ソースパターン情報が、退避コードを示す情報を含む場合の別の例を説明する。
【０１９９】
今、原ソース格納部１１１の原ソースが有するアセンブラプログラムの一命令は、「STM 5,8,SAVE」であったとする。この一命令は、レジスタ５からレジスタ８の内容を退避する命令である。
【０２００】
そして、可読性向上処理手段１２２１は、この一命令が図９の「ＩＤ＝２」の箇所特定情報「'STM' ＄レジスタ番号１',' ＄レジスタ番号２','＄１」に合致する、と判断する。そして、可読性向上処理手段１２２１は、この一命令を、例えば、レジスタ５（ｒ５）レジスタ６（ｒ６）、レジスタ７（ｒ７）、レジスタ８（ｒ８）の内容を退避する中間表現に変換する。この中間表現は、例えば、以下である。
store（r5,SAVE）；
tmp1=SAVE+4;
store(r6,tmp1);
tmp2=SAVE+8;
store(r7,tmp2);
tmp3=SAVE+12;
store(r8,tmp3);
【０２０１】
この中間表現は、変数「SAVE」が示すアドレスを先頭として、４バイトずつずらしなから、ｒ５からｒ８の各レジスタの値を退避する命令群である。
【０２０２】
次に、可読性向上処理手段１２２１は、レジスタ５からレジスタ８のうち、例えば、レジスタ５のみが、当該命令「STM 5,8,SAVE」の前に使用されている、と判断した、とする。
【０２０３】
次に、可読性向上処理手段１２２１は、上記の中間表現のうち、レジスタ５（ｒ５）の値のみを退避する目的ソースを生成する。つまり、可読性向上処理手段１２２１は、上記の中間表現から、レジスタ６からレジスタ８の値の退避に対応する命令群「tmp1=SAVE+4;  store(r6,tmp1);  tmp2=SAVE+8;  store(r7,tmp2);  tmp3=SAVE+12;  store(r8,tmp3);」を削除する。そして、可読性向上処理手段１２２１は、中間表現「store（r5,SAVE）；」を得る。
【０２０４】
次に、可読性向上処理手段１２２１は、中間表現「store（r5,SAVE）；」を目的ソース「*(unit32_t *)SAVE = r5;」に変換する。そして、可読性向上処理手段１２２１は、最終的に、Ｃ言語のプログラムの命令「*(unit32_t *)SAVE = r5;」を得る。
【０２０５】
（具体例２）
具体例２も、第一の可読性向上処理の具体例である。具体例２は、ソースパターン情報が、オフセットを持つ戻りであることを示す情報を含む場合である。つまり、具体例２は、上記の（Ａ−２）に該当する。
【０２０６】
今、原ソース格納部１１１の原ソースが有するアセンブラプログラムは、図１１に示すアセンブラプログラムである、とする。図１１の１１０１の命令は、サブルーチンPROC1の呼び出し命令である。１１０１は、戻り番地（次の命令１１０２）をレジスタ（１４で識別されるレジスタ）に保存し、１１０５のPROC1にジャンプするという命令である。また、１１０２は、自分の番地（＊）に８バイト足したところ（１１０４の命令）にジャンプすることを示す。さらに、１１０６は、サブルーチンからの戻り命令である。１１０６は、レジスタ１４＋４（オフセット）の番地（命令１１０３の箇所）にジャンプする命令である。
【０２０７】
また、格納部１１には、図１２に示す変換情報管理表が格納されている。変換情報管理表は、「ＩＤ」「箇所特定条件」「適用条件」「変換情報」を有するレコードを１以上有する。「ＩＤ」は、レコードを識別する情報である。「適用条件」とは、「変換情報」が適用される条件であり、箇所特定条件に追加される条件である。「適用条件」は、箇所特定条件にさらに付加される条件である、と言える。また、「ＩＤ＝２」の適用条件「＄４のサブルーチンの最終部分が「ＩＤ＝１」の箇所特定条件の場合」とは、変数＄４で特定されるサブルーチンの最終部分が「Ｂ  ＄１（，＄２）」に合致する場合である。また、「ＩＤ＝２」の変換情報のうち、＄ラベルを含む文字列は、任意のラベルが該当し得る。＄ラベルに対して、可読性向上処理手段１２２１は、＄ラベルを含む異なる文字列に対して、ユニークなラベルを生成する。なお、２つの＄ラベルＸは同じラベルに置き換えられる。
【０２０８】
そして、可読性向上処理手段１２２１は、図１１のアセンブラプログラムの中の命令１１０１から命令１１０４が、図１２の「ＩＤ＝２」の箇所特定条件に合致する、と判断する。
【０２０９】
また、可読性向上処理手段１２２１は、図１１のアセンブラプログラムの中の命令１１０５以降のサブルーチンが、図１２の「ＩＤ＝２」の適用条件に合致する、と判断する。
【０２１０】
そして、可読性向上処理手段１２２１は、図１１のアセンブラプログラムの中の命令１１０１から命令１１０６に、図１２の「ＩＤ＝２」の変換情報を適用し、図１３の命令１３０１から命令１３０６を得る。
【０２１１】
また、可読性向上処理手段１２２１は、図１１のアセンブラプログラムの中の命令１１０６が、図１２の「ＩＤ＝１」の箇所特定条件に合致する、と判断する。
【０２１２】
そして、可読性向上処理手段１２２１は、図１１のアセンブラプログラムの中の命令１１０６に、図１２「ＩＤ＝１」の変換情報を適用し、図１３の命令１３０７、命令１３０８を得る。
【０２１３】
以上により、可読性向上処理手段１２２１は、原ソース（図１１参照）に対して、１以上の各ソースパターン情報を適用し、オフセットを持つ戻りを含む箇所（図１１の命令１１０６「B 4(,14)」）を決定し、当該箇所に対応するプログラムを、当該プログラムに含まれるオフセットを条件に用いた分岐（図１３の１３０４）を示すプログラム（図１３参照）に変更できた。
【０２１４】
（具体例３）
具体例３も、第一の可読性向上処理の具体例である。具体例３は、ソースパターン情報が、一命令の他言語のプログラムに変換可能なアセンブラの２以上の命令の箇所を特定するためのパターンの情報であり含む場合である。つまり、具体例３は、上記の（Ａ−３）に該当する。
【０２１５】
今、箇所特定条件格納部１１２は、図１４に示す箇所特定条件管理表を保持している。図１４の箇所特定条件管理表は「ＩＤ」「ソースパターン情報」「他言語パターン情報」を有するレコードを１以上格納している。「ＩＤ」はレコードを識別する情報である。「ソースパターン情報」はアセンブラの２以上の命令の箇所を特定するためのパターンの情報である。「他言語パターン情報」は、変換する他言語（ここではＣ言語）のパターンを示す情報である。
【０２１６】
図１４の「ＩＤ＝１」のソースパターン情報の「＄１」は任意の文字列であり、「＄変数」は任意の変数またはレジスタを示す情報である。また、「ＩＤ＝１」の他言語パターン情報のlength（＄１）は、文字列＄１の長さを示す。
【０２１７】
また、図１４の「ＩＤ＝２」のソースパターン情報の「＄２」は任意の文字であり、「＄変数」は任意の変数またはレジスタを示す情報である。
【０２１８】
また、図１４の「ＩＤ＝３」「ＩＤ＝４」のソースパターン情報の各「＄変数」は、変数の後の数字が異なれば、異なる変数である、とする。
【０２１９】
また、原ソース格納部１１１には、図１５に示すアセンブラプログラムが格納されている。とする。
【０２２０】
かかる場合、可読性向上処理手段１２２１は、図１５の１５０１の箇所が  図１０の「ＩＤ＝１」のソースパターン情報に合致すると判断し、「ＩＤ＝１」の他言語パターン情報に従って、１５０１を図１６の１６０１のＣ言語に変換する。
【０２２１】
また、可読性向上処理手段１２２１は、図１５の１５０２の箇所が  図１４の「ＩＤ＝２」のソースパターン情報に合致すると判断し、「ＩＤ＝２」の他言語パターン情報に従って、１５０２を図１６の１６０２のＣ言語に変換する。
【０２２２】
また、可読性向上処理手段１２２１は、図１５の１５０３の箇所が  図１４の「ＩＤ＝３」のソースパターン情報に合致すると判断し、「ＩＤ＝３」の他言語パターン情報に従って、１５０３を図１６の１６０３のＣ言語に変換する。
【０２２３】
また、可読性向上処理手段１２２１は、図１５の１５０４の箇所が  図１４の「ＩＤ＝４」のソースパターン情報に合致すると判断し、「ＩＤ＝４」の他言語パターン情報に従って、１５０４を図１６の１６０４のＣ言語に変換する。
【０２２４】
以上の処理の結果、可読性向上処理手段１２２１は、図１５のアセンブラプログラムから、図１６のＣ言語のプログラムを得る。
【０２２５】
なお、可読性向上処理手段１２２１は、アセンブラプログラムを中間表現に変換し、中間表現からＣ言語のプログラムを構成しても良い。例えば、可読性向上処理手段１２２１は、図１５の１５０１のアセンブラ（図１７の１７０１）を、図１７の１７０２の中間表現１に変換する。そして、１７０２をｔｒｅｅ構造にした図が、１７０３である。そして、可読性向上処理手段１２２１は、１７０３のｔｒｅｅ構造を、中間表現２の１７０４のｔｒｅｅ構造に変換する。なお、格納部１１には、ｔｒｅｅ構造間の変換のための情報が格納されている、とする。また、１７０４のｔｒｅｅ構造は、１７０５の中間表現２に対応する。そして、次に、可読性向上処理手段１２２１は、１７０５の中間表現２を１７０６のＣ言語のプログラムに変換する。なお、ｔｒｅｅ構造間の変換を行わずに、中間表現１７０２をＣ言語に変換した場合、１７０７のＣ言語のプログラムとなる。
【０２２６】
同様に、可読性向上処理手段１２２１は、図１５の１５０２のアセンブラ（１８０１）を、図１８の１８０２の中間表現１に変換する。そして、１８０２をｔｒｅｅ構造にした図が、１８０３である。そして、可読性向上処理手段１２２１は、１８０３のｔｒｅｅ構造を、中間表現２の１８０４のｔｒｅｅ構造に変換する。なお、１８０４のｔｒｅｅ構造は、１８０５の中間表現２に対応する。そして、次に、可読性向上処理手段１２２１は、１８０５の中間表現２を１８０６のＣ言語のプログラムに変換する。なお、１８０２をＣ言語に変換した場合、１８０７となる。
【０２２７】
（具体例４）
具体例４も、第一の可読性向上処理の具体例である。具体例４は、ソースパターン情報が、２以上のジャンプ命令が構成する２以上のループの一部が重なっていることを示す情報を含む場合である。つまり、具体例４は、上記の（Ａ−５）に該当する。
【０２２８】
また、２以上のジャンプ命令が構成する２以上のループの一部が重なっている箇所が、アセンブラプログラムに存在する場合、命令変換部１２２は、（１）「ボトムが起点から最も遠いループを優先する」、（２）「ボトムが同じループが複数ある場合、トップが起点から最も近いループを優先する」の方針により、一のループを優先し、当該一のループをジャンプ命令ではなく、他言語のループのプログラムに変更する。
【０２２９】
今、命令変換部１２２は、アセンブラプログラムを静的解析し、当該アセンブラプログラムが複数（ここでは、４つ）の基本ブロック間のリンク関係を有する、と判断した、とする。そして、命令変換部１２２は、図１９（ａ）に示す、ｂ１、ｂ２、ｂ３、ｂ４の４つの基本ブロック間のリンクを示す情報を得た、とする。なお、基本ブロック間のリンク関係とは、基本ブロック間の処理の流れを示しており、一の基本ブロックから出て行く２以上のリンク（矢印）が存在する場合は分岐があることを示す。また、図１９の１９０１、１９０２はループを構成するリンクである。そして、図１９（ａ）では、（１）「ボトムが起点から最も遠いループを優先する」の条件に従い、１９０２のループが優先される。つまり、可読性向上処理手段１２２１は、１９０２のループを、Ｃ言語の、例えば、「while」文に書き換え、goto文を無くす。なお、基本ブロックｂ３からｂ１へのリンク１９０１を構成するgoto命令は、残ることとなる。
【０２３０】
さらに具体的には、変換対象のアセンブラプログラムが、図２０のプログラムであった、とする。図２０において、L0、L1はラベルである。「BE L0」「BE L1」は、ジャンプ命令である。そして、命令１〜命令８は任意の命令である。
【０２３１】
そして、命令変換部１２２は、図２０のアセンブラプログラムを静的解析し、当該アセンブラプログラムがb1〜b4の４つの基本ブロックを取得した、とする。
【０２３２】
そして、命令変換部１２２は、２以上のループの一部が重なっている図２０の場合に、（１）「ボトムが起点から最も遠いループを優先する」に基づいて、b4のブロックをボトムとするループ（図１９の１９０２のループ）を優先させた場合、命令変換部１２２は、図２１（ａ）のプログラムを取得する。そして、b3のブロックをボトムとするループを構成するgoto文２１０１はそのまま残る。ただし、図２１（ａ）の２１０１は、ループから飛び出すgoto文であり、可読性の低下度合いは低い。
【０２３３】
一方、仮に、命令変換部１２２は、２以上のループの一部が重なっている図２０の場合に、b3のブロックをボトムとするループ（図１９の１９０１のループ）を優先させた場合、命令変換部１２２は、図２１（ｂ）のプログラムを取得する。そして、b4のブロックをボトムとするループを構成するgoto文２１０２はそのまま残る。そして、図２１（ｂ）の２１０２は、ループへ飛び込むgoto文であり、可読性は著しく低下し、望ましくない。
【０２３４】
また、命令変換部１２２は、上記とは別のアセンブラプログラムを静的解析し、当該アセンブラプログラムが複数（ここでは、４つ）の基本ブロック間のリンク関係を有する、と判断した、とする。そして、命令変換部１２２は、図２２（ａ）に示す、ｔ１、ｔ２、ｔ３、ｔ４の４つの基本ブロック間のリンクを示す情報を得た、とする。また、図２２の２２０１、２２０２はループを構成するリンクである。そして、図２２（ａ）では、（２）「ボトムが同じループが複数ある場合、トップが起点から最も近いループを優先する」の条件に従い、２２０１のループが優先される。つまり、可読性向上処理手段１２２１は、２２０１のループを、Ｃ言語の、例えば、「for」文に書き換え、goto文を無くす。なお、基本ブロックｔ４からｔ２へのリンク２２０２を構成するgoto命令は、残ることとなる。
【０２３５】
さらに具体的には、変換対象のアセンブラプログラムが、図２３のプログラムであった、とする。図２３において、L0、L1はラベルである。「BE L1」「B L0」は、ジャンプ命令である。そして、命令１〜命令８は任意の命令である。
【０２３６】
そして、命令変換部１２２は、図２３のアセンブラプログラムを静的解析し、当該アセンブラプログラムがt1〜t4の４つの基本ブロックを取得した、とする。
【０２３７】
そして、命令変換部１２２は、２以上のループの一部が重なっている図２３の場合に、（２）「ボトムが同じループが複数ある場合、トップが起点から最も近いループを優先する」に基づいて、t1のブロックをトップとするループ（図２２の２２０１のループ）を優先させた場合、命令変換部１２２は、図２４（ａ）のプログラムを取得する。そして、２４０１内の他のgoto文はそのまま残る。ただし、図２４（ａ）のgoto文の行き先がループ内に存在するので、可読性はあまり低下しない。
【０２３８】
一方、仮に、命令変換部１２２は、２以上のループの一部が重なっている図２２の場合に、t2のブロックをトップとするループ（図２２の２２０２のループ）を優先させた場合、命令変換部１２２は、図２４（ｂ）のプログラムを取得する。そして、２４０２内の他のgoto文はそのまま残る。そして、図２４（ｂ）のgoto文の行き先は、プログラムの任意の箇所になり得るので、プログラム全体の中から、goto文の行き先を探す必要があり、可読性は著しく減少する。
【０２３９】
なお、命令変換部１２２がすべてのgoto文を他言語のループに変換する場合、図２５に示すように、トップにt1 とt2 のどちらを選んでも最終的な変換結果は同じになる。ただし、トップにt1 を選んだ方が計算量は少なくなる。
【０２４０】
（具体例５）
具体例５は、コメント付きのアセンブラプログラムをマイグレーションし、コメント付きのＣ言語プログラムを生成する具体例である。つまり、原ソース格納部１１１は、図２６に示す原ソース（ここでは、アセンブラプログラム）を格納している。アセンブラプログラムは、上コメント、横コメント、下コメントを有する。なお、図２６において、後述するように、「Return the last day」「BDISPLAY MSG2」は上コメント、「SUB」「ADD」「LOAD」「CALL」は横コメント、「Return to a caller」は下コメントである。
【０２４１】
かかる状況において、マイグレーション装置１は、処理を開始した、とする。
【０２４２】
そして、命令変換部１２２は、上述した処理により、アセンブラ命令「SH R0,0(,R2)」から、Ｃ言語の２つの命令「uint32_t addr0=r2;」「int16_t tmpvar0=*(int16_t*)addr0;」を取得した、とする。また、命令変換部１２２は、アセンブラ命令「AH R0,0(,R3)」から、Ｃ言語の３つの命令「uint32_t addr1=r3;」「int16_t tmpvar1=*(int16_t*)addr1;」「r0=r0-(int32_t)tmpvar0+(int32_t)tmpvar1;」を取得した、とする。また、命令変換部１２２は、アセンブラ命令「EJECT」からＣ言語の命令を取得しない。また、命令変換部１２２は、２つのアセンブラ命令「LR 15,CALLADR」「BALR R14,R15」から、Ｃ言語の１つの命令「BDISPLAY( (void**) r1 );」を取得した、とする。
【０２４３】
次に、目的ソース構成部１２３は、図２６の原ソースからコメント「Return the last day」を取得する。また、目的ソース構成部１２３は、コメント「Return the last day」に対応する第一命令を「SH R0,0(,R2)」と決定する。また、目的ソース構成部１２３は、コメント「Return the last day」と第一命令「SH R0,0(,R2)」との位置関係から、配置関係情報「上配置関係」を取得する。そして、目的ソース構成部１２３は、コメント「Return the last day」を第一命令「SH R0,0(,R2)」に対応する第二命令の中の最上位命令を「uint32_t addr0=r2;」と決定する。そして、目的ソース構成部１２３は、コメント「Return the last day」を第二命令「uint32_t addr0=r2;」の上の行に配置する。なお、目的ソース構成部１２３は、コメントの前には、コメントであると認識される文字列「//*」を配置する。
【０２４４】
次に、目的ソース構成部１２３は、図２６の原ソースからコメント「SUB」を取得する。次に、目的ソース構成部１２３は、コメント「SUB」に対応する第一命令を「SH R0,0(,R2)」と決定する。また、目的ソース構成部１２３は、コメント「SUB」と第一命令「SH R0,0(,R2)」との位置関係から、配置関係情報「横配置関係」を取得する。そして、目的ソース構成部１２３は、コメント「SUB」を第一命令「SH R0,0(,R2)」に対応する第二命令の中の最上位命令を「uint32_t addr0=r2;」と決定する。そして、目的ソース構成部１２３は、コメント「SUB」を第二命令「uint32_t addr0=r2;」の横に配置する。なお、目的ソース構成部１２３は、コメントの前には、コメントであると認識される文字列「//*」を配置する。
【０２４５】
次に、目的ソース構成部１２３は、図２６の原ソースからコメント「ADD」を取得する。次に、目的ソース構成部１２３は、コメント「ADD」に対応する第一命令を「AH R0,0(,R3)」と決定する。また、目的ソース構成部１２３は、コメント「ADD」と第一命令「AH R0,0(,R3)」との位置関係から、配置関係情報「横配置関係」を取得する。そして、目的ソース構成部１２３は、コメント「ADD」を第一命令「AH R0,0(,R3)」に対応する第二命令の中の最上位命令を「uint32_t addr1=r3;」と決定する。そして、目的ソース構成部１２３は、コメント「ADD」を第二命令「uint32_t addr1=r3;」の横に配置する。なお、目的ソース構成部１２３は、コメントの前には、コメントであると認識される文字列「//*」を配置する。
【０２４６】
次に、目的ソース構成部１２３は、図２６の原ソースからコメント「Return to a caller」を取得する。次に、目的ソース構成部１２３は、コメント「Return to a caller」の下の第一命令が特定命令（ここでは、EJECT）であることを検知する。そして、目的ソース構成部１２３は、コメント「Return to a caller」に対応する第一命令を「AH R0,0(,R3)」であると決定する。次に、目的ソース構成部１２３は、コメント「Return to a caller」と第一命令「AH R0,0(,R3)」との位置関係から、配置関係情報「下配置関係」を取得する。そして、目的ソース構成部１２３は、コメント「Return to a caller」を第一命令「AH R0,0(,R3)」に対応する第二命令の中の最下位命令を「r0=r0-(int32_t)tmpvar0+(int32_t)tmpvar1;」と決定する。そして、目的ソース構成部１２３は、コメント「Return to a caller」を第二命令「r0=r0-(int32_t)tmpvar0+(int32_t)tmpvar1;」の下の行に配置する。なお、目的ソース構成部１２３は、コメントの前には、コメントであると認識される文字列「//*」を配置する。
【０２４７】
次に、目的ソース構成部１２３は、図２６の原ソースからコメント「LOAD」を取得する。次に、目的ソース構成部１２３は、コメント「LOAD」に対応する第一命令を「LR 15,CALLADR」であると決定する。次に、目的ソース構成部１２３は、コメント「LOAD」と第一命令「LR 15,CALLADR」との位置関係から、配置関係情報「横配置関係」を取得する。そして、目的ソース構成部１２３は、コメント「LOAD」を第一命令「LR 15,CALLADR」に対応する第二命令の中の最上位命令を「BDISPLAY( (void**) r1 );」と決定する。そして、目的ソース構成部１２３は、コメント「LOAD」を第二命令「BDISPLAY( (void**) r1 );」と同一行の横に配置する。なお、目的ソース構成部１２３は、コメントの前には、コメントであると認識される文字列「//*」を配置する。
【０２４８】
次に、目的ソース構成部１２３は、図２６の原ソースからコメント「BDISPLAY MSG2」を取得する。また、目的ソース構成部１２３は、コメント「BDISPLAY MSG2」に対応する第一命令を「BALR R14,R15」と決定する。また、目的ソース構成部１２３は、コメント「BDISPLAY MSG2」と第一命令「BALR R14,R15」との位置関係から、配置関係情報「上配置関係」を取得する。そして、目的ソース構成部１２３は、コメント「BDISPLAY MSG2」を第一命令「BALR R14,R15」に対応する第二命令の中の最上位命令を「BDISPLAY( (void**) r1 );」と決定する。そして、目的ソース構成部１２３は、コメント「BDISPLAY MSG2」を第二命令「BDISPLAY( (void**) r1 );」の上の行に配置する。なお、目的ソース構成部１２３は、コメントの前には、コメントであると認識される文字列「//*」を配置する。
【０２４９】
次に、目的ソース構成部１２３は、図２６の原ソースからコメント「CALL」を取得する。また、目的ソース構成部１２３は、コメント「CALL」に対応する第一命令を「BALR R14,R15」と決定する。また、目的ソース構成部１２３は、コメント「BDISPLAY MSG2」と第一命令「BALR R14,R15」との位置関係から、配置関係情報「横配置関係」を取得する。そして、目的ソース構成部１２３は、コメント「BDISPLAY MSG2」を第一命令「BALR R14,R15」に対応する第二命令の中の最上位命令を「BDISPLAY( (void**) r1 );」と決定する。そして、目的ソース構成部１２３は、コメント「CALL」を第二命令「BDISPLAY( (void**) r1 );」の横に配置する。なお、ここでは、第二命令「BDISPLAY( (void**) r1 );」の横に既にコメント「LOAD」が配置されているので、目的ソース構成部１２３は、改行し、コメント「LOAD」とｘ座標が同等（例えば、同一）の場所にコメント「CALL」を配置した。また、目的ソース構成部１２３は、コメントの前には、コメントであると認識される文字列「//*」を配置する。
【０２５０】
以上、本実施の形態によれば、コメントの配置位置を考慮した目的ソースの出力が可能となる。
【０２５１】
また、本実施の形態によれば、２以上の第一命令が一の第二命令に対応する場合であり、コメントの配置位置が、命令に対して上または下の位置である場合、配置位置を考慮した目的ソースの出力が可能となる。
【０２５２】
また、本実施の形態によれば、２以上の第一命令が２以上の第二命令に対応する場合であり、コメントの配置位置が、命令に対して上または下または横の位置である場合、配置位置を考慮した目的ソースの出力が可能となる。
【０２５３】
また、本実施の形態によれば、コメントの配置位置が、命令に対して横または上または下の位置である場合、配置位置を考慮した目的ソースの出力が可能となる。
【０２５４】
さらに、本実施の形態によれば、アセンブラのプログラムをマイグレーションする場合に、保守性を考慮した、可読性の高い他言語のプログラムを生成できる。
【０２５５】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるマイグレーション装置を実現するソフトウェアは、以下のようなプログラムである。つまり、このプログラムは、コンピュータがアクセス可能な記録媒体は、プログラムを構成する命令である１以上の第一命令を有するマイグレーション対象のプログラムであり、第一のプログラム言語である第一言語で記述されたプログラムであり、２以上のコメントを含むプログラムである原ソースを格納し得る原ソース格納部を具備し、コンピュータを、前記原ソースが有する１以上の第一命令から、第一のプログラム言語とは異なる言語である第二言語のプログラムを構成する１以上の第二命令を取得する命令変換部と、前記原ソース内の２以上の各コメントを取得し、当該２以上のコメントと前記命令変換部が取得した１以上の第二命令とを有する目的ソースを構成する目的ソース構成部と、前記目的ソースを出力する出力部として機能させ、前記目的ソース構成部は、コメントと当該コメントに対応する第一命令との配置関係に応じて、当該第一命令に対応する第二命令に対して、前記コメントを異なる位置に配置して、前記２以上のコメントと前記１以上の第二命令とを有する目的ソースを構成するものとして、コンピュータを機能させるためのプログラム。である。
【０２５６】
また、上記プログラムにおいて、前記目的ソース構成部は、
前記原ソース内の２以上の各コメントに対して、コメントが当該コメントに対応する第一命令の横に配置されている横配置関係、およびコメントが当該コメントに対応する第一命令の上に配置されている上配置関係を含む２種類以上の配置関係のうち、いずれの配置関係かを決定し、当該決定した配置関係に応じて、前記第一命令に対応する第二命令に対して、前記各コメントを異なる位置に配置して、前記２以上のコメントと前記１以上の第二命令とを有する目的ソースを構成するものとしてコンピュータを機能させるプログラムであることは好適である。
【０２５７】
また、上記プログラムにおいて、前記目的ソース構成部は、２以上の第一命令が一の第二命令に対応する場合、前記２以上の各第一命令に対して上配置関係の配置関係にあるすべてのコメントを、前記一の第二命令の上に配置して、前記２以上のコメントと前記１以上の第二命令とを有する目的ソースを構成するものとしてコンピュータを機能させるプログラムであることは好適である。
【０２５８】
また、上記プログラムにおいて、前記目的ソース構成部は、２以上の第一命令が２以上の第二命令に対応する場合、前記２以上の各第一命令に対して上配置関係の配置関係にあるすべてのコメントを、前記２以上の第二命令のうち、最も上に配置される一の第二命令の上に配置して、前記２以上のコメントと前記２以上の第二命令とを有する目的ソースを構成するものとしてコンピュータを機能させるプログラムであることは好適である。
【０２５９】
また、上記プログラムにおいて、前記目的ソース構成部は、２以上の第一命令が２以上の第二命令に対応する場合、前記２以上の各第一命令に対して横配置関係の配置関係にあるコメントのうち、未配置のコメントのみを、前記２以上の第二命令のうち、最も上に配置される一の第二命令の横に配置して、前記２以上のコメントと前記２以上の第二命令とを有する目的ソースを構成するものとしてコンピュータを機能させるプログラムであることは好適である。
【０２６０】
また、上記プログラムにおいて、前記目的ソース構成部は、前記２以上の各コメントに対して、コメントが当該コメントに対応する第一命令の横に配置されている横配置関係、コメントが当該コメントに対応する第一命令の上に配置されている上配置関係、およびコメントが当該コメントに対応する第一命令の下に配置されている下配置関係を含む３種類の配置関係のうち、いずれの配置関係かを決定し、当該決定した配置関係に応じて、前記第一命令に対応する第二命令に対して、前記各コメントを異なる位置に配置して、前記２以上のコメントと前記１以上の第二命令とを有する目的ソースを構成するものとしてコンピュータを機能させるプログラムであることは好適である。
【０２６１】
また、上記プログラムにおいて、前記目的ソース構成部は、２以上の第一命令が一の第二命令に対応する場合、前記２以上の各第一命令に対して下配置関係の配置関係にあるすべてのコメントを、前記一の第二命令の下に配置して、前記２以上のコメントと前記１以上の第二命令とを有する目的ソースを構成するものとしてコンピュータを機能させるプログラムであることは好適である。
【０２６２】
また、上記プログラムにおいて、前記目的ソース構成部は、２以上の第一命令が２以上の第二命令に対応する場合、前記２以上の各第一命令に対して下配置関係の配置関係にあるすべてのコメントを、前記２以上の第二命令のうち、最も下に配置される一の第二命令の下に配置して、前記２以上のコメントと前記１以上の第二命令とを有する目的ソースを構成するものとしてコンピュータを機能させるプログラムであることは好適である。
【０２６３】
また、図２８は、本明細書で述べたプログラムを実行して、上述した種々の実施の形態のマイグレーション装置１等を実現するコンピュータの外観を示す。上述の実施の形態は、コンピュータハードウェア及びその上で実行されるコンピュータプログラムで実現され得る。図２８は、このコンピュータシステム３００の概観図であり、図２９は、システム３００のブロック図である。
【０２６４】
図２８において、コンピュータシステム３００は、ＣＤ−ＲＯＭドライブを含むコンピュータ３０１と、キーボード３０２と、マウス３０３と、モニタ３０４とを含む。
【０２６５】
図２９において、コンピュータ３０１は、ＣＤ−ＲＯＭドライブ３０１２、ＭＰＵ３０１３、ＣＤ−ＲＯＭドライブ３０１２とＭＰＵ３０１３とに接続されたバス３０１４、ブートアッププログラム等のプログラムを記憶するためのＲＯＭ３０１５、ＭＰＵ３０１３に接続され、アプリケーションプログラムの命令を一時的に記憶するとともに一時記憶空間を提供するためのＲＡＭ３０１６、アプリケーションプログラム、システムプログラム、及びデータを記憶するためのハードディスク３０１７を含む。ここでは、図示しないが、コンピュータ３０１は、さらに、ＬＡＮへの接続を提供するネットワークカードを含んでも良い。
【０２６６】
コンピュータシステム３００に、上述した実施の形態のマイグレーション装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０２６７】
プログラムは、コンピュータ３０１に、上述した実施の形態のマイグレーション装置１等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０２６８】
また、上記プログラムを実行するコンピュータは、単数であってもよく、複数であってもよい。すなわち、集中処理を行ってもよく、あるいは分散処理を行ってもよい。
【０２６９】
また、上記各実施の形態において、各処理（各機能）は、単一の装置（システム）によって集中処理されることによって実現されてもよく、あるいは、複数の装置によって分散処理されることによって実現されてもよい。
【０２７０】
本発明は、以上の実施の形態に限定されることなく、種々の変更が可能であり、それらも本発明の範囲内に包含されるものであることは言うまでもない。
【産業上の利用可能性】
【０２７１】
以上のように、本発明にかかるマイグレーション装置は、マイグレーションにおいて、適切な位置にコメントを配置して、目的ソースの出力できるという効果を有し、マイグレーション装置等として有用である。
【符号の説明】
【０２７２】
１  マイグレーション装置
１１  格納部
１２  処理部
１３  出力部
１１１  原ソース格納部
１１２  箇所特定条件格納部
１１３  変換情報格納部
１２１  アセンブラプログラム取得部
１２１  プログラム取得部
１２２  命令変換部
１２２  変換部
１２３  目的ソース構成部
１２２１  可読性向上処理手段
【図１】
2017126176.tif 000003
【図２】
2017126176.tif 000004
【図３】
2017126176.tif 000005
【図４】
2017126176.tif 000006
【図５】
2017126176.tif 000007
【図６】
2017126176.tif 000008
【図７】
2017126176.tif 000009
【図８】
2017126176.tif 000010
【図９】
2017126176.tif 000011
【図１０】
2017126176.tif 000012
【図１１】
2017126176.tif 000013
【図１２】
2017126176.tif 000014
【図１３】
2017126176.tif 000015
【図１４】
2017126176.tif 000016
【図１５】
2017126176.tif 000017
【図１６】
2017126176.tif 000018
【図１７】
2017126176.tif 000019
【図１８】
2017126176.tif 000020
【図１９】
2017126176.tif 000021
【図２０】
2017126176.tif 000022
【図２１】
2017126176.tif 000023
【図２２】
2017126176.tif 000024
【図２３】
2017126176.tif 000025
【図２４】
2017126176.tif 000026
【図２５】
2017126176.tif 000027
【図２６】
2017126176.tif 000028
【図２７】
2017126176.tif 000029
【図２８】
2017126176.tif 000030
【図２９】
2017126176.tif 000031